(57)【特許請求の範囲】
【請求項１】
通信システムにおける信号送信装置が信号を送信する方法であって、
チャネル品質及び干渉成分に基づいて干渉の分布を決定するステップと、
前記干渉の分布に基づいて直交振幅変調（ＱＡＭ）方式に関連したパラメータと周波数シフトキーイング（ＦＳＫ）方式に関連したパラメータを決定するステップと、
情報ビットを前記ＱＡＭ方式に関連したパラメータを使用する前記ＱＡＭ方式と前記ＦＳＫ方式に関連したパラメータを使用する前記ＦＳＫ方式との双方に基づく変調方式を使用して変調するステップと
を有することを特徴とする通信システムにおける信号送信装置の信号送信方法。
【請求項２】
前記チャネル品質及び干渉成分に基づいて前記ＱＡＭ方式に関連したパラメータとＦＳＫ方式に関連したパラメータとを検出するステップは、
前記チャネル品質及び前記干渉成分に基づいて前記ＱＡＭ方式に関連したパラメータ及びＦＳＫ方式に関連したパラメータを決定するステップを有することを特徴とする請求項１に記載の通信システムにおける信号送信装置の信号送信方法。
【請求項３】
前記ＱＡＭ方式に関連したパラメータは、前記ＱＡＭ方式の変調次数ＭＱを含み、前記ＦＳＫ方式に関連したパラメータは、前記ＦＳＫ方式の変調次数ＭＦを含むことを特徴とする請求項２に記載の通信システムにおける信号送信装置の信号送信方法。
【請求項４】
前記チャネル品質及び干渉成分に基づいて前記ＱＡＭ方式に関連したパラメータ及び前記ＦＳＫ方式に関連したパラメータを決定するステップは、
前記チャネル品質を示すチャネル品質情報及び前記干渉成分を示す少なくとも１つの干渉成分パラメータを検出するステップと、
変調及び符号化方式レベルのそれぞれのリンク性能に対する値を示すリンクテーブル及び前記チャネル品質情報に基づいて候補変調次数ＭＱ及びＭＦを決定するステップと、
所定の運用基準、前記候補変調次数ＭＱ及びＭＦに基づいて前記変調次数ＭＱ及びＭＦを決定するステップとを有することを特徴とする請求項３に記載の通信システムにおける信号送信装置の信号送信方法。
【請求項５】
前記運用基準は、前記変調次数ＭＱ及びＭＦの中の少なくとも１つを変更するための要請を示すメッセージが前記信号送信装置に隣接する少なくとも１つの周辺信号送信装置又は上位エンティティから受信されるか否か及び前記少なくとも１つの周辺信号送信装置又は上位エンティティから前記変調次数ＭＱ及びＭＦの中の少なくとも１つを変更するための要請を示すメッセージが受信される場合に、前記信号送信装置が前記変調次数ＭＱ及びＭＦの中の少なくとも１つを変更するための要請を反映するか否を示す情報を含むことを特徴とする請求項４に記載の通信システムにおける信号送信装置の信号送信方法。
【請求項６】
前記少なくとも１つの干渉成分パラメータは、干渉成分パラメータα、干渉成分パラメータβ、及び干渉成分パラメータδの中の少なくとも１つを含み、
前記干渉成分パラメータα及び前記干渉成分パラメータβの各々は、信号受信装置が受信した受信信号で前記信号受信装置自身が受信することを希望する成分を除外した残りの成分の統計に基づいて生成され、
前記干渉成分パラメータδは、前記信号受信装置が計算した干渉統計モデルと前記干渉成分パラメータα及び前記干渉成分パラメータβに基づいてモデリングした複素一般化ガウス（ＣＧＧ）分布間の差を示すことを特徴とする請求項４に記載の通信システムにおける信号送信装置の信号送信方法。
【請求項７】
前記干渉成分パラメータα及び前記干渉成分パラメータβの各々は、干渉チャネルでの干渉成分がＣＧＧ分布を有するという仮定の下にモデリングされることを特徴とする請求項６に記載の通信システムにおける信号送信装置の信号送信方法。
【請求項８】
前記干渉成分パラメータα及び前記干渉成分パラメータβは、下記の数式（１）のように表現されることを特徴とする請求項７に記載の通信システムにおける信号送信装置の信号送信方法。
【数１】
0006424168.tif 000013
前記数式（１）において、ｋは、シンボルインデックスを示し、ｌは、周波数トーンインデックスを示し、ｌ＝１，．．．，ＭＦであり、
【数２】
0006424168.tif 000014
は、ガンマ関数を示し、
【数３】
0006424168.tif 000015
を示し、ｋ番目のシンボルで前記信号受信装置が受信することを希望する成分を除外した成分を示し、
【数４】
0006424168.tif 000016
は、前記ｋ番目のシンボルに対する、前記ｌ番目の周波数トーンで前記信号受信装置が受信することを希望する成分に関連するチャネル情報を示し、
【数５】
0006424168.tif 000017
は、前記ｋ番目のシンボルに対する送信ＱＡＭ信号を示し、
【数６】
0006424168.tif 000018
は、デルタ関数を示し、ここで、ｍ［ｋ］がｌである場合には、値‘１’を有し、ｍ［ｋ］がｌではない場合には、‘０’の値を有し、ｍ［ｋ］は、ｋ番目の送信シンボルが送信される周波数トーンの周波数トーンインデックスを示す。
【請求項９】
前記チャネル品質を示すチャネル品質情報及び前記干渉成分を示す少なくとも１つの干渉成分パラメータを検出するステップは、少なくとも１つの信号受信装置から前記チャネル品質情報及び前記少なくとも１つの干渉成分パラメータを受信するステップを有し、
前記少なくとも１つの信号受信装置が少なくても２個の信号受信装置を含む場合に、前記少なくとも２個の信号受信装置から受信した干渉成分パラメータαの中で特定の干渉成分パラメータαのそれぞれの値が所定の第１のしきい値を超過し、前記少なくとも２個の信号受信装置から受信した干渉成分パラメータδのそれぞれの値が所定の第１の値である場合に、前記少なくとも２個の信号受信装置が経験する干渉は、正規分布として決定されることを特徴とする請求項７に記載の通信システムにおける信号送信装置の信号送信方法。
【請求項１０】
前記少なくとも１つの周辺信号送信装置が前記変調次数ＭＦを減少させることを前記信号送信装置に隣接する少なくとも１つの周辺信号送信装置又は上位エンティティに要請するメッセージを送信するステップをさらに有することを特徴とする請求項９に記載の通信システムにおける信号送信装置の信号送信方法。
【請求項１１】
前記チャネル品質を示すチャネル品質情報及び前記干渉成分を示す少なくとも１つの干渉成分パラメータを検出するステップは、少なくとも１つの信号受信装置から前記チャネル品質情報及び前記少なくとも１つの干渉成分パラメータを受信するステップを有し、
前記少なくとも１つの信号受信装置が少なくとも２個の信号受信装置を含む場合に、前記少なくとも２個の信号受信装置から受信した干渉成分パラメータαの中で特定の干渉成分パラメータαのそれぞれの値が所定の第２のしきい値未満であり、前記少なくとも２個の信号受信装置から受信した干渉成分パラメータδのそれぞれの値が所定の第１の値である場合に、前記少なくとも２個の信号受信装置が経験する干渉は、前記ＣＧＧ分布として決定されることを特徴とする請求項７に記載の通信システムにおける信号送信装置の信号送信方法。
【請求項１２】
前記少なくとも１つの周辺送信装置が前記変調次数ＭＦを増加させることができることを示すメッセージを前記信号送信装置に隣接する少なくとも１つの周辺送信装置又は上位エンティティに送信するステップをさらに有することを特徴とする請求項１１に記載の通信システムにおける信号送信装置の信号送信方法。
【請求項１３】
前記チャネル品質を示すチャネル品質情報及び前記干渉成分を示す少なくとも１つの干渉成分パラメータを検出するステップは、少なくとも１つの信号受信装置から前記チャネル品質情報及び前記少なくとも１つの干渉成分パラメータを受信するステップを有し、
前記少なくとも１つの信号受信装置が少なくとも２個の信号受信装置を含む場合に、前記少なくとも２個の信号受信装置から受信した干渉成分パラメータδの中で特定の干渉成分パラメータδのそれぞれの値が所定の第２の値である場合に、前記少なくとも２個の信号受信装置が経験する干渉は、前記ＣＧＧ分布でないと決定されることを特徴とする請求項７に記載の通信システムにおける信号送信装置の信号送信方法。
【請求項１４】
前記少なくとも２個の信号受信装置が経験する干渉が前記ＣＧＧ分布でないことを示すメッセージを上位エンティティに送信するステップをさらに有することを特徴とする請求項１１に記載の通信システムにおける信号送信装置の信号送信方法。
【請求項１５】
前記リンクテーブルは、前記少なくとも１つの干渉成分パラメータが使用される場合に、前記チャネル品質情報と、前記ＱＡＭ方式及び前記ＦＳＫ方式に基づく変調方式に対するスペクトル効率と、前記変調及び符号化方式レベルが一対一にマッピングされたテーブルであることを特徴とする請求項４に記載の通信システムにおける信号送信装置の信号送信方法。
【請求項１６】
前記チャネル品質を示すチャネル品質情報及び前記干渉成分を示す少なくとも１つの干渉成分パラメータを検出するステップは、
信号受信装置が前記チャネル品質情報及び前記少なくとも１つの干渉成分パラメータの送信を要請するメッセージを前記信号受信装置に送信するステップと、
前記チャネル品質情報及び前記少なくとも１つの干渉成分パラメータを含むメッセージを前記信号受信装置から受信するステップとを有することを特徴とする請求項４に記載の通信システムにおける信号送信装置の信号送信方法。
【請求項１７】
前記ＱＡＭ方式に関連したパラメータ及び前記ＦＳＫ方式に関連したパラメータを使用して前記情報ビットを符号化するステップをさらに有することを特徴とする請求項１に記載の通信システムにおける信号送信装置の信号送信方法。
【請求項１８】
前記ＱＡＭ方式に関連したパラメータ及び前記ＦＳＫ方式に関連したパラメータを使用して前記情報ビットを符号化するステップは、
前記ＱＡＭ方式に関連したパラメータが前記ＱＡＭ方式の変調次数ＭＱを含み、前記ＦＳＫ方式に関連したパラメータが前記ＱＡＭ方式の変調次数ＭＦを含む場合に、前記情報ビットのＭ進符号化を行うステップを有し、
前記Ｍは、前記変調次数ＭＱ及びＭＦに基づいて生成される値であることを特徴とする請求項１７に記載の通信システムにおける信号送信装置の信号送信方法。
【請求項１９】
通信システムにおける信号受信装置が信号を受信する方法であって、
干渉の分布に基づいて決定された直交振幅変調（ＱＡＭ）方式に関連したパラメータを使用する前記ＱＡＭ方式及び周波数シフトキーイング（ＦＳＫ）方式に関連したパラメータを使用する前記ＦＳＫ方式に基づく変調方式を使用して変調された信号を信号送信装置から受信するステップを有し、
前記干渉の分布は、チャネル品質及び干渉成分に基づいて決定されることを特徴とする通信システムにおける信号受信装置の信号受信方法。
【請求項２０】
前記ＱＡＭ方式に関連したパラメータ及び前記ＦＳＫ方式に関連したパラメータは、前記チャネル品質を示すチャネル品質情報及び前記干渉成分を示す少なくとも１つの干渉成分パラメータに基づいて決定されることを特徴とする請求項１９に記載の通信システムにおける信号受信装置の信号受信方法。
【請求項２１】
前記ＱＡＭ方式に関連したパラメータは、前記ＱＡＭ方式の変調次数ＭＱを含み、前記ＦＳＫ方式に関連したパラメータは、前記ＦＳＫ方式の変調次数ＭＦを含むことを特徴とする請求項２０に記載の通信システムにおける信号受信装置の信号受信方法。
【請求項２２】
前記ＱＡＭ方式に関連したパラメータ及び前記ＦＳＫ方式に関連したパラメータは、変調及び符号化方式レベルのそれぞれのリンク性能に対する値を示すリンクテーブル及び前記チャネル品質情報に基づいて候補変調次数ＭＱ及びＭＦが決定された後に、前記信号送信装置にあらかじめ定められている運用基準及び前記候補変調次数ＭＱ及びＭＦに基づいて決定されることを特徴とする請求項２１に記載の通信システムにおける信号受信装置の信号受信方法。
【請求項２３】
前記運用基準は、前記信号送信装置に隣接する少なくとも１つの周辺信号送信装置又は上位エンティティから前記変調次数ＭＱ及びＭＦの中の少なくとも１つを変更する要請を示すメッセージが受信されるか否かと、前記少なくとも１つの周辺信号送信装置又は上位エンティティから前記変調次数ＭＱ及びＭＦの中の少なくとも１つを変更する要請を示すメッセージが受信される場合に、前記信号送信装置が前記変調次数ＭＱ及びＭＦの中の少なくとも１つを変更する要請を反映するか否かを示す情報を含むことを特徴とする請求項２２に記載の通信システムにおける信号受信装置の信号受信方法。
【請求項２４】
前記少なくとも１つの干渉成分パラメータは、干渉成分パラメータα、干渉成分パラメータβ、及び干渉成分パラメータδの中の少なくとも１つを含み、
前記干渉成分パラメータα及び前記干渉成分パラメータβの各々は、前記信号受信装置が受信した受信信号で前記信号受信装置自身が受信することを希望する成分を除外した残りの成分の統計に基づいて生成され、
前記干渉成分パラメータδは、前記信号受信装置が計算した干渉統計モデルと前記干渉成分パラメータα及び前記干渉成分パラメータβに基づいてモデリングしたＣＧＧ分布間の差を示すことを特徴とする請求項２１に記載の通信システムにおける信号受信装置の信号受信方法。
【請求項２５】
前記干渉成分パラメータα及び前記干渉成分パラメータβの各々は、干渉チャネルでの干渉成分がＣＧＧ分布を有するという仮定の下にモデリングされることを特徴とする請求項２４に記載の通信システムにおける信号受信装置の信号受信方法。
【請求項２６】
前記干渉成分パラメータα及び前記干渉成分パラメータβは、下記の数式（２）のように表現されることを特徴とする請求項２５に記載の通信システムにおける信号受信装置の信号受信方法。
【数７】
0006424168.tif 000019
前記数式（２）において、ｋは、シンボルインデックスを示し、ｌは、周波数トーンインデックスを示し、ｌ＝１，．．．，ＭＦであり、
【数８】
0006424168.tif 000020
は、ガンマ関数を示し、
【数９】
0006424168.tif 000021
を示し、ｋ番目のシンボルで前記信号受信装置が受信することを希望する成分を除外した成分を示し、
【数１０】
0006424168.tif 000022
は、前記ｋ番目のシンボルに対する前記ｌ番目の周波数トーンで前記信号受信装置が受信することを希望する成分に関連するチャネル情報を示し、
【数１１】
0006424168.tif 000023
は、前記ｋ番目のシンボルに対する送信ＱＡＭ信号を示し、
【数１２】
0006424168.tif 000024
は、デルタ関数を示し、ｍ［ｋ］がｌである場合には、値‘１’を有し、ｍ［ｋ］がｌではない場合には、‘０’の値を有し、ｍ［ｋ］は、ｋ番目の送信シンボルが送信される周波数トーンの周波数トーンインデックスを示す。
【請求項２７】
前記チャネル品質情報及び前記少なくとも１つの干渉成分パラメータを前記信号送信装置に送信するステップをさらに有し、
前記信号受信装置を含む少なくとも２個の信号受信装置が送信した干渉成分パラメータαの中で特定の干渉成分パラメータαの値が所定の第１のしきい値を超過し、前記少なくとも２個の信号受信装置が送信した干渉成分パラメータδの値が所定の第１の値である場合に、前記少なくとも２個の信号受信装置が経験する干渉は、正規分布として決定されることを特徴とする請求項２５に記載の通信システムにおける信号受信装置の信号受信方法。
【請求項２８】
前記チャネル品質情報及び前記少なくとも１つの干渉成分パラメータを前記信号送信装置に送信するステップをさらに有し、
前記信号受信装置を含む少なくとも２個の信号受信装置が送信した干渉成分パラメータαの中で特定の干渉成分パラメータαの値が所定の第２のしきい値未満であり、前記少なくとも２個の信号受信装置が送信した干渉成分パラメータδの値が所定の第１の値である場合に、前記少なくとも２個の信号受信装置が経験する干渉は、前記ＣＧＧ分布として決定されることを特徴とする請求項２５に記載の通信システムにおける信号受信装置の信号受信方法。
【請求項２９】
前記チャネル品質情報及び前記少なくとも１つの干渉成分パラメータを前記信号送信装置に送信するステップをさらに有し、
前記信号受信装置を含む少なくとも２個の信号受信装置が送信した干渉成分パラメータδの中で特定の干渉成分パラメータδの値が所定の第２の値である場合に、前記少なくとも２個の信号受信装置が経験する干渉は、前記ＣＧＧ分布でないと決定されることを特徴とする請求項２５に記載の通信システムにおける信号受信装置の信号受信方法。
【請求項３０】
前記信号送信装置から前記チャネル品質情報及び前記少なくとも１つの干渉成分パラメータを送信することを要請するメッセージを受信するステップと、
前記チャネル品質情報及び前記少なくとも１つの干渉成分パラメータを含むメッセージを前記信号送信装置に送信するステップとをさらに有することを特徴とする請求項２０に記載の通信システムにおける信号受信装置の信号受信方法。
【請求項３１】
前記ＱＡＭ方式に関連したパラメータ及び前記ＦＳＫ方式に関連したパラメータに基づいて前記受信された信号から情報ビットを復旧するステップをさらに有することを特徴とする請求項１９に記載の通信システムにおける信号受信装置の信号受信方法。
【請求項３２】
前記ＱＡＭ方式に関連したパラメータ及び前記ＦＳＫ方式に関連したパラメータに基づいて前記受信された信号から情報ビットを復旧するステップは、
前記ＱＡＭ方式に関連したパラメータが変調次数ＭＱを含み、前記ＦＳＫ方式に関連したパラメータが変調次数ＭＦを含む場合に、前記情報ビットのＭ進復号化を行うステップを有し、
前記Ｍは、前記変調次数ＭＱ及びＭＦに基づいて生成される値であることを特徴とする請求項３１に記載の通信システムにおける信号受信装置の信号受信方法。
【請求項３３】
請求項１乃至請求項１８のうちのいずれか１つの方法を実行するように構成されることを特徴とする信号送信装置。
【請求項３４】
請求項１９乃至請求項３２のうちのいずれか１つの方法を実行するように構成されることを特徴とする信号受信装置。
【発明の詳細な説明】
【技術分野】
【０００１】
本発明は、通信システムにおける信号を送受信する方法及び装置に関するものである。
【背景技術】
【０００２】
通信システムは、持続的に増加する無線データトラフィックの需要を満足させるためにより高いデータ送信率をサポートするように発展している。このために、通信システムは、例えば、直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：以下、“ＯＦＤＭ”と称する）方式及び多入力多出力（Ｍｕｌｔｉｐｌｅ  Ｉｎｐｕｔ  Ｍｕｌｔｉｐｌｅ  Ｏｕｔｐｕｔ：以下、“ＭＩＭＯ”と称する）方式のような様々な通信方式によりスペクトル効率（Ｓｐｅｃｔｒａｌ  Ｅｆｆｉｃｉｅｎｃｙ）を改善し、チャネル容量を増大させるように開発されている。
【０００３】
また、通信システムにおいて、セル中心から遠いセル境界領域の低い信号対雑音比（Ｓｉｇｎａｌ−ｔｏ−Ｎｏｉｓｅ  Ｒａｔｉｏ：以下、“ＳＮＲ”と称する）又は隣接セルの基地局からの干渉の影響を大きく受ける低いキャリア対干渉雑音比（Ｃａｒｒｉｅｒ−ｔｏ−Ｉｎｔｅｒｆｅｒｅｎｃｅ  ａｎｄ  Ｎｏｉｓｅ  Ｒａｔｉｏ：以下、“ＣＩＮＲ”と称する）を有するセル境界（ｃｅｌｌ−ｅｄｇｅ）ユーザ端末機（Ｕｓｅｒ  Ｅｑｕｉｐｍｅｎｔ：ＵＥ）は、全システム性能を低下させることができる要因となる。
【０００４】
したがって、通信システムでは、このようなセル境界ユーザ端末機の送信効率を増加させるために、セル間干渉協調（Ｉｎｔｅｒ−Ｃｅｌｌ  Ｉｎｔｅｒｆｅｒｅｎｃｅ−Ｃｏｏｒｄｉｎａｔｉｏｎ：以下、“ＩＣＩＣ”と称する）方式、ＣｏＭＰ（Ｃｏｏｒｄｉｎａｔｅｄ  Ｍｕｌｔｉ−Ｐｏｉｎｔ）方式、及び干渉除去（ｉｎｔｅｒｆｅｒｅｎｃｅ  ｃａｎｃｅｌｌａｔｉｏｎ）方式のような様々な方式が開発されている。
【０００５】
上述した方式は、主に、送信器での干渉制御又は受信器での干渉除去をターゲットにして高いデータ送信率をサポートするようにその研究が進められているが、より根本的にセル境界領域に位置するセル境界ユーザ端末機に最適にチャネル容量を増大させることにより、高いデータ送信率をサポートできる改善した方式に対する必要性が台頭されている。
【０００６】
上述した情報は、本発明の理解を助けるために背景情報としてのみ提示される。本発明に対する先行技術で適用されることができるか否かに関してはいかなる決定及びいかなる主張もない。
【発明の概要】
【発明が解決しようとする課題】
【０００７】
本発明は、上述した課題もしくは不都合な点を解決し、少なくとも以下に示す優位性を提供する。すなわち、本発明の実施形態は、通信システムにおける直交振幅変調（Ｑｕａｄｒａｔｕｒｅ  Ａｍｐｌｉｔｕｄｅ  Ｍｏｄｕｌａｔｉｏｎ：以下、“ＱＡＭ”と称する）方式及び周波数シフトキーイング（Ｆｒｅｑｕｅｎｃｙ  Ｓｈｉｆｔ  Ｋｅｙｉｎｇ：以下、“ＦＳＫ”と称する）方式に基づく変調方式を使用して信号を送受信する方法及び装置を提供することにある。
【０００８】
本発明の別の実施形態は、通信システムにおけるＱＡＭ方式及びＦＳＫ方式に基づく変調方式及びＭ進（Ｍ−ａｒｙ）符号化方式を使用して信号を送受信する方法及び装置を提供することにある。
【０００９】
本発明のまた別の実施形態は、通信システムにおける干渉成分を考慮し、ＱＡＭ方式及びＦＳＫ方式に基づく変調方式を使用して信号を送受信する方法及び装置を提供することにある。
【００１０】
本発明のさらに別の実施形態は、通信システムにおけるチャネル情報を考慮してＱＡＭ方式及びＦＳＫ方式に基づく変調方式を使用して信号を送受信する方法及び装置を提供することにある。
【００１１】
本発明のさらにまた別の実施形態は、通信システムにおけるＱＡＭ方式及びＦＳＫ方式に基づく変調方式を使用して信号を送受信することによりチャネル容量を増加させる方法及び装置を提供することにある。
【００１２】
本発明のさらなる別の実施形態は、通信システムにおけるＱＡＭ方式及びＦＳＫ方式に基づく変調方式を使用して信号を送受信することによりデータ送信率を増加させる方法及び装置を提供することにある。
【課題を解決するための手段】
【００１３】
上記のような目的を達成するために、本発明の実施形態の一態様によれば、通信システムにおける信号送信装置が信号を送信する方法が提供される。上記方法は、チャネル品質及び干渉成分に基づいて直交振幅変調（Ｑｕａｄｒａｔｕｒｅ  Ａｍｐｌｉｔｕｄｅ  Ｍｏｄｕｌａｔｉｏｎ：以下、“ＱＡＭ”と称する）方式に関連したパラメータ及び周波数シフトキーイング（Ｆｒｅｑｕｅｎｃｙ  Ｓｈｉｆｔ  Ｋｅｙｉｎｇ：以下、“ＦＳＫ”と称する）方式に関連したパラメータを検出するステップと、上記ＱＡＭ方式に関連したパラメータ及び上記ＦＳＫ方式に関連したパラメータを使用する上記ＱＡＭ方式及び上記ＦＳＫ方式に基づく変調方式を使用して情報ビットを変調するステップを含むことを特徴とする。
【００１４】
本発明の実施形態の他の態様によれば、通信システムにおける信号受信装置が信号を受信する方法が提供される。上記方法は、信号送信装置からチャネル品質及び干渉成分に基づいて検出されたＱＡＭ方式に関連したパラメータ及びＦＳＫ方式に関連したパラメータを使用する上記ＱＡＭ方式及び上記ＦＳＫ方式に基づく変調方式を使用して変調された信号を受信するステップを含むことを特徴とする。
【００１５】
本発明の実施形態のさらに他の態様によれば、通信システムにおける信号送信装置が提供される。上記信号送信装置は、チャネル品質及び干渉成分に基づくＱＡＭ方式に関連したパラメータ及びＦＳＫ方式に関連したパラメータを検出する制御器と、上記ＱＡＭ方式に関連したパラメータ及び上記ＦＳＫ方式に関連したパラメータを使用する上記ＱＡＭ方式及び上記ＦＳＫ方式に基づく変調方式を使用して情報ビットを変調する送信器とを含むことを特徴とする。
【００１６】
本発明の実施形態のさらなる他の態様によれば、通信システムにおける信号受信装置が提供される。上記信号受信装置は、信号送信装置からチャネル品質及び干渉成分に基づいて検出されたＱＡＭ方式に関連したパラメータ及びＦＳＫ方式に関連したパラメータを使用する上記ＱＡＭ方式及び上記ＦＳＫ方式に基づく変調方式を使用して変調された信号を受信する受信器を含むことを特徴とする。
【発明の効果】
【００１７】
本発明の様々な実施形態は、通信システムにおける直交振幅変調（Ｑｕａｄｒａｔｕｒｅ  Ａｍｐｌｉｔｕｄｅ  Ｍｏｄｕｌａｔｉｏｎ：以下、“ＱＡＭ”と称する）方式及び周波数シフトキーイング（Ｆｒｅｑｕｅｎｃｙ  Ｓｈｉｆｔ  Ｋｅｙｉｎｇ：以下、“ＦＳＫ”と称する）方式に基づく変調方式を使用して信号を送受信することを可能にするという効果がある。
【００１８】
また、本発明の様々な実施形態は、通信システムにおけるＱＡＭ方式及びＦＳＫ方式に基づく変調方式及びＭ進（Ｍ−ａｒｙ）符号化方式を使用して信号を送受信することを可能にするという効果がある。
【００１９】
さらに、本発明の様々な実施形態は、通信システムにおける干渉成分を考慮してＱＡＭ方式及びＦＳＫ方式に基づく変調方式を使用して信号を送受信することを可能にするという効果がある。
【００２０】
さらにまた、本発明の様々な実施形態は、通信システムにおけるチャネル品質を考慮してＱＡＭ方式及びＦＳＫ方式に基づく変調方式を使用して信号を送受信することを可能にするという効果がある。
【００２１】
さらにまた、本発明の様々な実施形態は、通信システムにおけるＱＡＭ方式及びＦＳＫ方式に基づく変調方式を使用して信号を送受信することによりチャネル容量を増加させることを可能にするという効果がある。
【００２２】
さらにまた、本発明の様々な実施形態は、通信システムにおけるＱＡＭ方式及びＦＳＫ方式に基づく変調方式を使用して信号を送受信することによりデータ送信率を増加させることを可能にするという効果がある。
【００２３】
さらにまた、本発明の様々な実施形態は、通信システムにおける信号受信装置が少なくとも１つの周辺信号送信装置及び上位エンティティと経験する干渉を共有することにより、データ送信率を増加させることを可能にするという効果がある。
【００２４】
さらにまた、本発明の様々な実施形態は、通信システムにおける信号受信装置が少なくとも１つの周辺信号送信装置及び上位エンティティと経験する干渉を共有することにより、信号受信装置が経験する干渉を適応的に反映し信号送信を最適化させることができるという効果がある。
【００２５】
さらにその他に、本発明の様々な実施形態は、ハイブリッドＦＳＫ及びＱＡＭ変調（Ｈｙｂｒｉｄ  ＦＳＫ  ａｎｄ  ＱＡＭ  Ｍｏｄｕｌａｔｉｏｎ：以下、“ＦＱＡＭ”と称する）方式及びＭ進符号化及び変調（Ｃｏｄｉｎｇ  ａｎｄ  Ｍｏｄｕｌａｔｉｏｎ：以下、“ＣＭ”と称する）方式を使用して信号の送信を実行することにより低いＳＮＲ領域（又はＥｂ／Ｎ０領域）でも送信効率を増加させることができるという効果がある。
【００２６】
このような効果は、図１６ａ及び図１６ｂを参照して詳細に説明する。
【００２７】
図１６ａは、本発明の一実施形態による通信システムにおける付加白色ガウス雑音（Ａｄｄｉｔｉｖｅ  Ｗｈｉｔｅ  Ｇａｕｓｓｉａｎ  Ｎｏｉｓｅ：以下、“ＡＷＧＮ”と称する）チャネル及び符号化率ｒ＝１／３に基づく環境の下でＦＳＫ方式、ＱＡＭ方式、及びＦＱＡＭ方式のそれぞれの性能を示すグラフである。
【００２８】
図１６ａを参照すると、グラフは、ＡＷＧＮチャネル及び符号化率ｒ＝１／３に基づく環境の下で生成され、シャノンのチャネル容量限界（Ｓｈａｎｎｏｎ’ｓ  ｃｈａｎｎｅｌ  ｃａｐａｂｉｌｉｔｙ  ｌｉｍｉｔ）、ＦＳＫ方式、ＱＡＭ方式、及びＦＱＡＭ方式のそれぞれの性能を示す。図１６ａのグラフに示すように、横軸は、雑音電力密度に対するビットエネルギーの比Ｅｂ／Ｎ０［ｄＢ］を示し、縦軸は、帯域幅効率（Ｂａｎｄｗｉｄｔｈ  ｅｆｆｉｃｉｅｎｃｙ）［ｂｉｔｓ／ｓｅｃ／Ｈｚ］を示す。
【００２９】
図１６ａを参照すると、Ｌは、ＦＱＡＭ方式の変調次数を示し、Ｍは、ＦＳＫ方式の変調次数を示し、Ｑは、ＱＡＭ方式の変調次数を示す。図１６ａに関連して説明するように、ＦＱＡＭ方式は、ＦＳＫ方式及びＱＡＭ方式に比べて相対的に低いＥｂ／Ｎ０［ｄＢ］で相対的に高い帯域幅効率を得ることができる。
【００３０】
図１６ｂは、本発明の一実施形態による通信システムにおけるＡＷＧＮチャネル及び符号化率ｒ＝１／２に基づく状況の下でＦＳＫ方式、ＱＡＭ方式、及びＦＱＡＭ方式のそれぞれの性能を示すグラフである。
【００３１】
図１６ｂを参照すると、グラフは、ＡＷＧＮチャネル及び符号化率ｒ＝１／２に基づく状況の下で生成され、ＦＳＫ方式、ＱＡＭ方式、及びＦＱＡＭ方式のそれぞれの性能を示す。図１６ｂのグラフに示すように、横軸は、雑音電力密度に対するビットエネルギーの比Ｅｂ／Ｎ０［ｄＢ］を示し、縦軸は、帯域幅効率［ｂｉｔｓ／ｓｅｃ／Ｈｚ］を示す。
【００３２】
図１６ｂを参照すると、Ｌは、ＦＱＡＭ方式の変調次数を示し、Ｍは、ＦＳＫ方式の変調次数を示し、Ｑは、ＱＡＭ方式の変調次数を示す。図１６ｂに関連して説明するように、ＦＱＡＭ方式は、ＦＳＫ方式及びＱＡＭ方式に比べて相対的に低いＥｂ／Ｎ０［ｄＢ］で相対的に高い帯域幅効率を得ることができる。
【００３３】
さらに、本発明の様々な実施形態は、信号送信装置で信号受信装置が経験する干渉を予測し、少なくとも１つの周辺信号送信装置及び上位エンティティと経験した干渉を共有することにより送信方式の最適化を実行することができるという効果がある。
【００３４】
本発明の実施形態の上述した及び他の様相、特徴、及び利点は、以下の添付図面を併用した後述の詳細な説明から、より一層明らかになる。
【図面の簡単な説明】
【００３５】
【図１】本発明の一実施形態による通信システムにおけるビットインターリービングされた符号化変調（Ｂｉｔ  Ｉｎｔｅｒｌｅａｖｅｄ  Ｃｏｄｅｄ  Ｍｏｄｕｌａｔｉｏｎ：ＢＩＣＭ）方式及び直交振幅変調（ＱＡＭ）方式をサポートする信号送信装置の内部の構造を概略的に示すブロック図である。
【図２】本発明の一実施形態による通信システムにおけるＢＩＣＭ方式が使用される場合に付加白色ガウス雑音（ＡＷＧＮ）チャネル環境でＱＡＭ方式及び周波数シフトキーイング（ＦＳＫ）方式のそれぞれの性能を示すグラフである。
【図３】本発明の一実施形態による通信システムにおけるＦＳＫ方式及びＭ進符号化及び変調（ＣＭ）方式をサポートする信号送信装置の内部の構造を概略的に示すブロック図である。
【図４】本発明の一実施形態による通信システムにおけるＭ進ＣＭ方式が使用される場合のＱＡＭ方式及びＦＳＫ方式のそれぞれの性能を示すグラフである。
【図５】本発明の一実施形態による通信システムにおけるハイブリッドＦＳＫ及びＱＡＭ変調  （ＦＱＡＭ）方式の基本概念を概略的に示す図である。
【図６】本発明の一実施形態による通信システムにおけるＦＱＡＭ方式及びＭ進ＣＭ方式をサポートする信号送信装置の内部の構造を概略的に示すブロック図である。
【図７】本発明の一実施形態による通信システムにおけるＦＱＡＭ方式及びＭ進ＣＭ方式をサポートする信号送信装置に含まれる制御器の動作を概略的に示す図である。
【図８】本発明の一実施形態による通信システムにおけるＦＱＡＭ方式及びＭ進ＣＭ方式をサポートする信号受信装置の内部の構造を概略的に示すブロック図である。
【図９】本発明の一実施形態による通信システムにおけるＦＱＡＭ方式及びＭ進ＣＭ方式をサポートする信号送信装置の動作を概略的に示すフローチャートである。
【図１０】本発明の一実施形態による通信システムにおけるＦＱＡＭ方式及びＭ進ＣＭ方式をサポートする信号受信装置の動作を概略的に示すフローチャートである。
【図１１】本発明の一実施形態による通信システムにおけるＱＡＭ方式及びＦＱＡＭ方式をサポートする信号送信装置の内部の構造の一例を示すブロック図である。
【図１２】本発明の一実施形態による通信システムにおけるＱＡＭ方式及びＦＱＡＭ方式をサポートする信号受信装置の内部の構造の一例を概略的に示すブロック図である。
【図１３】本発明の一実施形態による通信システムにおけるＱＡＭ方式及びＦＱＡＭ方式をサポートする信号送信装置の内部の構造の一例を示すブロック図である。
【図１４】本発明の一実施形態による通信システムにおけるＱＡＭ方式及びＦＱＡＭ方式をサポートする信号受信装置の内部の構造の他の例を概略的に示すブロック図である。
【図１５】本発明の一実施形態による通信システムにおけるＱＡＭ方式及び変調次数ＭＦが４であるＦＱＡＭ方式のパラメータα別ハルカーブ（Ｈｕｌｌ  Ｃｕｒｖｅ）の一例（スペクトル効率に対する信号対干渉及び雑音比（ＳＩＮＲ）  ）を示すグラフである。
【図１６ａ】本発明の一実施形態による通信システムにおけるＡＷＧＮチャネル及び符号化率ｒ＝１／３に基づく状況の下でＦＳＫ方式、ＱＡＭ方式、及びＦＱＡＭ方式のそれぞれの性能を示すグラフである。
【図１６ｂ】本発明の一実施形態による通信システムにおけるＡＷＧＮチャネル及び符号化率ｒ＝１／２に基づく状況の下でＦＳＫ方式、ＱＡＭ方式、及びＦＱＡＭ方式のそれぞれの性能を示すグラフである。
【発明を実施するための形態】
【００３６】
図面中、同一の図面参照符号が同一の構成エレメント、特性、又は構造を意味することは、容易に理解できるであろう。
【００３７】
添付の図面を参照した下記の説明は、特許請求の範囲の記載及びこれと均等なものの範囲内で定められるような本発明の実施形態の包括的な理解を助けるために提供され、この理解を助けるための様々な特定の詳細を含むが、単なる実施形態にすぎない。したがって、本発明の範囲及び趣旨を逸脱することなく、明細書中に説明した実施形態の様々な変更及び修正が可能であるということは、当該技術分野における通常の知識を有する者には明らかであろう。また、明瞭性と簡潔性の観点から、当業者には既知の機能や構成に関する具体的な説明を省略する。
【００３８】
以下の説明及び請求項に使用する用語及び単語は、辞典的意味に限定されるものではなく、本発明の理解を明確且つ一貫性があるようにするために使用される。したがって、本発明の実施形態の説明が単に実例を提供するためのものであって、特許請求の範囲とこれと均等なものに基づいて定義される発明をさらに限定する目的で提供されるものでないことは、本発明の技術分野における通常の知識を持つ者には明らかであろう。
【００３９】
本願明細書に記載の各エレメントは、文脈中で特に明示しない限り、複数形を含むことは、当業者には理解できるであろう。したがって、例えば、“コンポーネント表面（ａ  ｃｏｍｐｏｎｅｎｔ  ｓｕｒｆａｃｅ）”との記載は、１つ又は複数の表面を含む。
【００４０】
“第１”及び“第２”などのような序数を含む用語が様々な構成要素を説明するために使用されるが、これらの構成要素は、この用語により限定されない。この用語は、１つの構成要素を他の構成要素と区別するためにだけ使用される。例えば、本発明の権利範囲を逸脱することなく、第１の構成要素は第２の構成要素と呼ばれてもよく、同様に、第２の構成要素も第１の構成要素と呼ばれてもよい。ここで使用される用語“及び／又は”は、複数の関連した記載された項目の組み合せ又は複数の関連した記載された項目のうちのいずれか項目を含む。
【００４１】
ここで使用する用語は、特定の実施形態だけを説明するためのもので、本発明を限定するのではない。ここで使用するように、単数の表現は、文脈上明白に異なることを必要としない限り複数の表現を含む。本明細書で使用されている“具備する”又は“有する”などの用語は、明細書上に記載された特徴、数字、ステップ、動作、構成要素、エレメント、又はこれらの組み合せの存在を指定するものであって、１つ又はそれ以上の他の特徴又は数字、ステップ、動作、構成要素、部品、又はこれらの組み合せの存在又は付加可能性を予め排除しないものと理解されるべきである。
【００４２】
用語が異なって定義されない限り、技術的であるか又は科学的な用語を含めてここで使用されるすべての用語は、本発明が属する技術分野における通常の知識を有する者により一般的に理解されるものと同一の意味を有している。一般的に使用される予め定義されているもののような用語は、関連技術の文脈上有する意味と一致する意味を有するものと解釈されなければならず、本出願で明白に定義しない限り、理想的であるか又は過度に形式的な意味であると解釈されない。
【００４３】
本発明の様々な実施形態によると、電子デバイスは、通信機能を含む。例えば、電子デバイスは、スマートフォンと、タブリット個人用コンピュータ（Ｐｅｒｓｏｎａｌ  Ｃｏｍｐｕｔｅｒ：ＰＣ）と、移動電話機と、画像電話機と、電子ブックリーダ（ｅ−ｂｏｏｋ  ｒｅａｄｅｒ）と、デスクトップ（ｄｅｓｋｔｏｐ）ＰＣと、ラップトップ（ｌａｐｔｏｐ）ＰＣと、ネットブック（ｎｅｔｂｏｏｋ）ＰＣと、個人用ディジタルアシスタント（Ｐｅｒｓｏｎａｌ  Ｄｉｇｉｔａｌ  Ａｓｓｉｓｔａｎｔ：ＰＤＡ）と、携帯用マルチメディアプレーヤ（ｐｏｒｔａｂｌｅ  ｍｕｌｔｉｍｅｄｉａ  ｐｌａｙｅｒ：ＰＭＰ）と、ｍｐ３プレーヤ（ｍｐ３  ｐｌａｙｅｒ）と、移動医療デバイスと、カメラと、ウェアラブルデバイス（ｗｅａｒａｂｌｅ  ｄｅｖｉｃｅ）（例えば、ヘッドマウンテッドデバイス（Ｈｅａｄ−Ｍｏｕｎｔｅｄ  Ｄｅｖｉｃｅ：ＨＭＤ）と、電子衣服と、電子ブレースと、電子ネックレースと、  首飾りと、電子アクセサリ（ａｃｃｅｓｓｏｒｙ）と、電子タトゥー、又はスマートウォッチ（ｓｍａｒｔ  ｗａｔｃｈ）などであり得る。
【００４４】
本発明の様々な実施形態によると、電子デバイスは、上述したようなデバイスの任意の組み合せであってもよい。また、当該技術分野における当業者には、本発明の様々な実施形態による電子デバイスは、上述したようなデバイスに限定されないことが自明である。
【００４５】
本発明の様々な実施形態によると、ユーザ端末機（Ｕｓｅｒ  Ｅｑｕｉｐｍｅｎｔ：ＵＥ）は、電子デバイスであり得る。
【００４６】
本発明の様々な実施形態は、通信システムにおける直交振幅変調（Ｑｕａｄｒａｔｕｒｅ  Ａｍｐｌｉｔｕｄｅ  Ｍｏｄｕｌａｔｉｏｎ：以下、“ＱＡＭ”と称する）方式及び周波数シフトキーイング（Ｆｒｅｑｕｅｎｃｙ  Ｓｈｉｆｔ  Ｋｅｙｉｎｇ：以下、“ＦＳＫ”と称する）方式に基づく変調方式を使用して信号を送受信する方法及び装置を提案する。
【００４７】
本発明の様々な実施形態は、通信システムにおけるＱＡＭ方式及びＦＳＫ方式に基づく変調方式及びＭ進（Ｍ−ａｒｙ）符号化方式を使用して信号を送受信する方法及び装置を提案する。
【００４８】
本発明の様々な実施形態は、通信システムにおける干渉成分を考慮し、ＱＡＭ方式及びＦＳＫ方式に基づく変調方式を使用して信号を送受信する方法及び装置を提案する。
【００４９】
本発明の様々な実施形態は、通信システムにおけるチャネル情報を考慮してＱＡＭ方式及びＦＳＫ方式に基づく変調方式を使用して信号を送受信する方法及び装置を提案する。
【００５０】
本発明の様々な実施形態は、通信システムにおけるＱＡＭ方式及びＦＳＫ方式に基づく変調方式を使用して信号を送受信することによりチャネル容量を増加させる方法及び装置を提案する。
【００５１】
本発明の様々な実施形態は、通信システムにおけるＱＡＭ方式及びＦＳＫ方式に基づく変調方式を使用して信号を送受信することによりデータ送信率を増加させる方法及び装置を提案する。
【００５２】
本発明の様々な実施形態は、通信システムにおける信号受信装置が少なくとも１つの周辺信号送信装置及び上位エンティティと経験する干渉を共有することにより、データ送信率を増加させる方法及び装置を提案する。
【００５３】
本発明の様々な実施形態は、通信システムにおける信号受信装置が少なくとも１つの周辺信号送信装置及び上位エンティティと経験する干渉を共有することにより、信号受信装置が経験する干渉を適応的に反映し信号送信を最適化させることができる方法及び装置を提案する。
【００５４】
以下、説明の便宜上、ＱＡＭ方式及びＦＳＫ方式に基づく変調方式を‘ハイブリッドＦＳＫ及びＱＡＭ変調（Ｈｙｂｒｉｄ  ＦＳＫ  ａｎｄ  ＱＡＭ  Ｍｏｄｕｌａｔｉｏｎ：以下、“ＦＱＡＭ”と称する）方式’と称する。本発明の様々な実施形態によると、ＦＱＡＭ方式は、ＱＡＭ方式とＦＳＫ方式とが組み合せられる変調方式である。しかしながら、ＦＱＡＭ方式は、ＱＡＭ方式とＦＳＫ方式とが組み合せられる変調方式だけでなく、本発明の様々な実施形態で説明する方式と同一の方式で入力信号を変調することが可能なすべての変調方式のうちの１つであり得ることは、当該技術分野における通常の知識を有する者には明らかである。
【００５５】
一方、本発明の様々な実施形態で提案したＦＱＡＭ方式を使用して信号を送受信する方法及び装置は、ロングタームエボリューション（Ｌｏｎｇ−Ｔｅｒｍ  Ｅｖｏｌｕｔｉｏｎ：以下、“ＬＴＥ”と称する）移動通信システムと、ロングタームエボリューション−アドバンスド（Ｌｏｎｇ−Ｔｅｒｍ  Ｅｖｏｌｕｔｉｏｎ−Ａｄｖａｎｃｅｄ：以下、“ＬＴＥ−Ａ”と称する）移動通信システムと、高速ダウンリンクパケット接続（ｈｉｇｈ  ｓｐｅｅｄ  ｄｏｗｎｌｉｎｋ  ｐａｃｋｅｔ  ａｃｃｅｓｓ：以下、“ＨＳＤＰＡ”と称する）移動通信システムと、高速アップリンクパケット接続（ｈｉｇｈ  ｓｐｅｅｄ  ｕｐｌｉｎｋ  ｐａｃｋｅｔ  ａｃｃｅｓｓ：以下、“ＨＳＵＰＡ”と称する）移動通信システムと、第３世代プロジェクトパートナーシップ２（３ｒｄ  Ｇｅｎｅｒａｔｉｏｎ  Ｐｒｏｊｅｃｔ  Ｐａｒｔｎｅｒｓｈｉｐ  ２：以下、“３ＧＰＰ２”と称する）で提案した高速レートパケットデータ（Ｈｉｇｈ  Ｒａｔｅ  Ｐａｃｋｅｔ  Ｄａｔａ：以下、“ＨＲＰＤ”と称する）移動通信システムと、３ＧＰＰ２で提案した広帯域符号分割多重接続（Ｗｉｄｅｂａｎｄ  Ｃｏｄｅ  Ｄｉｖｉｓｉｏｎ  Ｍｕｌｔｉｐｌｅ  Ａｃｃｅｓｓ：以下、“ＷＣＤＭＡ（登録商標）”と称する）移動通信システムと、３ＧＰＰ２で提案した符号分割多重接続（Ｃｏｄｅ  Ｄｉｖｉｓｉｏｎ  Ｍｕｌｔｉｐｌｅ  Ａｃｃｅｓｓ：以下、“ＣＤＭＡ”と称する）移動通信システムと、米国電気電子技術者協会（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ：以下、“ＩＥＥＥ”と称する）と、進化したパケットシステム（Ｅｖｏｌｖｅｄ  Ｐａｃｋｅｔ  Ｓｙｓｔｅｍ：以下、“ＥＰＳ”と称する）と、モバイルインターネットプロトコル（Ｍｏｂｉｌｅ  Ｉｎｔｅｒｎｅｔ  Ｐｒｏｔｏｃｏｌ：以下、“モバイルＩＰ”と称する）システムなどのような様々な通信システムに適用可能である。
【００５６】
まず、直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：以下、“ＯＦＤＭ”と称する）方式は、周波数効率を向上させるために直交振幅変調（Ｑｕａｄｒａｔｕｒｅ  Ａｍｐｌｉｔｕｄｅ  Ｍｏｄｕｌａｔｉｏｎ：以下、“ＱＡＭ”と称する）方式のようなシンボル変調方式とともに使用される。ＯＦＤＭ方式及びＱＡＭ方式をともに使用することにより、信号送信装置が様々な変調次数（ｏｒｄｅｒ）を有するシンボル変調方式を使用してチャネル状態に従って使用可能な変調次数を選択することができる。その結果、通信システムで要求される性能を満足させながらもデータ送信率を最大に高めることができる通信システムの運用が可能となる。
【００５７】
通信システムにおいて、チャネルの変化によるエラーを訂正するために様々なチャネル符号化方式がシンボル変調方式とともに使用されている。上述したように、通信システムでは、様々なチャネル符号化方式が使用されているが、一般的に、ＱＡＭ方式は、ビットインターリービングされた符号化変調（Ｂｉｔ  Ｉｎｔｅｒｌｅａｖｅｄ  Ｃｏｄｅｄ  Ｍｏｄｕｌａｔｉｏｎ：以下、“ＢＩＣＭ”と称する）方式とともに使用される。したがって、通信システムは、複雑度を考慮して通信システムの性能を最適化する観点で開発されてきた。
【００５８】
図１を参照して本発明の一実施形態による通信システムにおけるＢＩＣＭ方式及びＱＡＭ方式をサポートする信号送信装置の内部の構造について説明する。
【００５９】
図１は、本発明の一実施形態による通信システムにおけるＢＩＣＭ方式及びＱＡＭ方式をサポートする信号送信装置の内部の構造を概略的に示すブロック図である。
【００６０】
図１を参照すると、信号送信装置は、２進符号化器（Ｂｉｎａｒｙ  ｅｎｃｏｄｅｒ）１０２と、レートマッチング（ｒａｔｅ  ｍａｔｃｈｉｎｇ）ユニット１０４と、リピータ１０６と、選択器１０８と、複数のビットインターリーバ（例えば、Ｎ個のビットインターリーバ、すなわち、第１のビットインターリーバ１１０乃至第Ｎのビットインターリーバ１１２）と、Ｍ進（Ｍ−ａｒｙ）ＱＡＭシンボルマッパ（ｓｙｍｂｏｌ  ｍａｐｐｅｒ）１１４と、論理リソースマッパ１１６と、物理リソースマッパ１１８と、逆高速フーリエ変換（Ｉｎｖｅｒｓｅ  Ｆａｓｔ  Ｆｏｕｒｉｅｒ  Ｔｒａｎｓｆｏｒｍ：以下、“ＩＦＦＴ”と称する）ユニット１２０とを含む。
【００６１】
図１では、２進符号化器１０２と、レートマッチングユニット１０４と、リピータ１０６と、選択器１０８と、第１のビットインターリーバ１１０乃至第Ｎのビットインターリーバ１１２と、Ｍ進ＱＡＭシンボルマッパ１１４と、論理リソースマッパ１１６と、物理リソースマッパ１１８と、ＩＦＦＴユニット１２０とが個別のユニットとして図示されているが、信号送信装置は、そのような構成が単に説明の便宜のためのものであることを理解すべきである。言い換えれば、２進符号化器１０２と、レートマッチングユニット１０４と、リピータ１０６と、選択器１０８と、第１のビットインターリーバ１１０乃至第Ｎのビットインターリーバ１１２と、Ｍ進ＱＡＭシンボルマッパ１１４と、論理リソースマッパ１１６と、物理リソースマッパ１１８と、ＩＦＦＴユニット１２０の中の２つ以上のユニットが単一のユニットに組み込まれることができることはもちろんである。また、２進符号化器１０２と、レートマッチングユニット１０４と、リピータ１０６と、選択器１０８と、第１のビットインターリーバ１１０乃至第Ｎのビットインターリーバ１１２と、Ｍ進ＱＡＭシンボルマッパ１１４と、論理リソースマッパ１１６と、物理リソースマッパ１１８と、ＩＦＦＴユニット１２０の位置は、変更可能であり、これらのユニットの中で特定のユニットは省略可能であることはもちろんである。
【００６２】
まず、信号送信装置に入力される情報ビットは、２進符号化器１０２に入力される。２進符号化器１０２は、情報ビットを所定の２進符号化方式を使用して符号化することにより符号化ビット列を生成し、符号化ビット列をレートマッチングユニット１０４に出力する。レートマッチングユニット１０４は、２進符号化器１０２から出力される符号化ビット列に対して所定のレートマッチング方式を使用してレートマッチング動作を実行することにより所定の符号化率（ｃｏｄｅ  ｒａｔｅ）を有するビット列を生成し、生成されたビット列をリピータ１０６に出力する。リピータ１０６は、レートマッチングユニット１０４から出力されるビット列を所定の反復回数に従って反復することによりビット列を生成し、生成されたビット列を選択器１０８に出力する。
【００６３】
選択器１０８は、リピータ１０６から出力されるビット列の符号化率及び反復回数を考慮してリピータ１０６から出力されるビット列を第１のビットインターリーバ１１０乃至第Ｎのビットインターリーバ１１２の中の１つに出力する。第１のビットインターリーバ１１０乃至第Ｎのビットインターリーバ１１２の各々は、入力されたビット列を所定のインターリービングパターンに従ってインターリービングすることによりインターリービングされたビット列を生成し、インターリービングされたビット列をＭ進ＱＡＭシンボルマッパ１１４に出力する。例えば、第１のビットインターリーバ１１０乃至第Ｎのビットインターリーバ１１２の各々は、インターリービングパターンに対応して所定の長さに従ってビット単位で入力されたビット列をインターリービングすることによりインターリービングされたビット列を生成し、インターリービングされたビット列をＭ進ＱＡＭシンボルマッパ１１４に出力する。例えば、第１のビットインターリーバ１１０で使用される長さはＸ１であり、第Ｎのビットインターリーバ１１２で使用される長さはＸＮである。ここで、第１のビットインターリーバ１１０乃至第Ｎのビットインターリーバ１１２は、チャネル符号化方式及び符号化率に対応して設計される。
【００６４】
Ｍ進ＱＡＭシンボルマッパ１１４は、インターリービングされたビット列に対して所定の変調次数（Ｍｏｄｕｌａｔｉｏｎ  ｏｒｄｅｒ）Ｍに対応するシンボルマッピング動作を実行し、ｍ個のビットが１つの複素シンボルにマッピングされたＱＡＭシンボル列を生成し、ＱＡＭシンボル列を論理リソースマッパ１１６に出力する。例えば、ｍ＝１ｏｇ２（Ｍ）に従って、２個のビットは、４−ＱＡＭ（４位相偏移変調（Ｑｕａｄｒａｔｕｒｅ  Ｐｈａｓｅ  Ｓｈｉｆｔ  Ｋｅｙｉｎｇ：ＱＰＳＫ））シンボルにマッピングされ、４個のビットは、１６−ＱＡＭシンボルにマッピングされ、６個のビットは、６４−ＱＡＭシンボルにマッピングされる。
【００６５】
他の例において、３つのタイプのシンボルの中の少なくとも１つが省略されるか又は他のシンボルが二者択一的に或いは追加で使用され得る。変調次数は、チャネル状態を示す推定値、例えば、信号対雑音比（Ｓｉｇｎａｌ  ｔｏ  Ｎｏｉｓｅ  Ｒａｔｉｏ：以下、“ＳＮＲ”と称する）及び信号対干渉雑音比（Ｓｉｇｎａｌ  ｔｏ  Ｉｎｔｅｒｆｅｒｅｎｃｅ−ｐｌｕｓ−Ｎｏｉｓｅ  Ｒａｔｉｏ：以下、“ＳＩＮＲ”と称する）のような推定値に従ってターゲットフレーム誤り率（Ｆｒａｍｅ  Ｅｒｒｏｒ  Ｒａｔｅ：以下、“ＦＥＲ”と称する）を満足させるように決定される変調及び符号化方式（Ｍｏｄｕｌａｔｉｏｎ  ａｎｄ  Ｃｏｄｉｎｇ  Ｓｃｈｅｍｅ：以下、“ＭＣＳ”と称する）レベルに従って決定される。表１を参照して一般的なＱＡＭシンボル基盤ＭＣＳレベル決定方式について説明する。
【００６６】
【表１】
0006424168.tif 000002
【００６７】
一方、信号受信装置は、ＳＩＮＲを測定し、測定されたＳＩＮＲに関連したＭＣＳレベルを選択し、選択されたＭＣＳレベルを示すフィードバック情報を信号送信装置に送信する。例えば、表１の一般的なＱＡＭシンボル基盤ＭＣＳレベル決定方式に従ってＭＣＳレベルを選択する場合に、信号受信装置は、ＳＩＮＲを推定し、推定されたＳＩＮＲが１５［ｄＢ］である場合に、１５［ｄＢ］より小さいサイズを有するＳＩＮＲに関連したＭＣＳレベルとしての符号化率２／３及び６４ＱＡＭ方式を選択し、選択されたＭＣＳレベルを示すフィードバック情報を信号送信装置に送信する。従って、信号送信装置は、信号受信装置からフィードバック情報を受信することにより、受信されたフィードバック情報を使用してＭＣＳレベルを選択できる。この例において、スペクトル効率は、４．１４である。
【００６８】
論理リソースマッパ１１６は、Ｍ進ＱＡＭシンボルマッパ１１４から出力されたＱＡＭシンボル列を送信のために使用される論理リソースにマッピングすることにより論理リソースマッピングＱＡＭシンボル列を生成し、論理リソースマッピングＱＡＭシンボル列を物理リソースマッパ１１８に出力する。物理リソースマッパ１１８は、論理リソースマッピングＱＡＭシンボル列を送信のために使用される物理リソースにマッピングすることにより、物理リソースマッピングＱＡＭシンボル列を生成し、物理リソースマッピングＱＡＭシンボル列をＩＦＦＴユニット１２０に出力する。ＩＦＦＴユニット１２０は、物理リソースマッピングＱＡＭシンボル列に対してＩＦＦＴ動作を実行して時間ドメイン（ｔｉｍｅ  ｄｏｍａｉｎ）シンボル列を生成した後に、時間ドメインシンボル列を出力する。
【００６９】
ＩＦＦＴユニット１２０から出力された時間ドメインシンボル列は、追加の処理の後に信号受信装置に送信される。ここでは、追加の処理に対する具体的な説明を省略する。
【００７０】
一方、図１に示すような信号送信装置は、チャネル容量を最大に使用するためにチャネル状態に関する情報を必要とし、チャネル状態に最も適合した変調次数及び符号化率を選択する。例えば、信号送信装置は、適応変調及び符号化（Ａｄａｐｔｉｖｅ  Ｍｏｄｕｌａｔｉｏｎ  ａｎｄ  Ｃｏｄｉｎｇ：以下、“ＡＭＣ”と称する）動作を実行して様々なＭＣＳレベルを選択できる。
【００７１】
例えば、チャネル状態が比較的良好なユーザ端末機（Ｕｓｅｒ  Ｅｑｕｉｐｍｅｎｔ：ＵＥ）に対して、信号送信装置は、データ送信のために１６ＱＡＭ方式及び符号化率１／２を選択できる。この場合に、ｍ＝ｌｏｇ２（Ｍ）に従って、ｍ＝４であり、符号化率ｒ＝１／２であり、反復動作は、実行されない。
【００７２】
他の例として、信号送信装置（例えば、基地局（Ｂａｓｅ  Ｓｔａｔｉｏｎ：以下、“ＢＳ”と称する）がブロードキャスティングチャネル（Ｂｒｏａｄｃａｓｔｉｎｇ  ｃｈａｎｎｅｌ：以下、“ＢＣＨ”と称する）信号を送信する場合に、送信される情報データ又は情報ビットは、４０ビット（２４データビット及び１６サイクリックリダンダンシチェック（Ｃｙｃｌｉｃ  Ｒｅｄｕｎｄａｎｃｙ  Ｃｈｅｃｋ：以下、“ＣＲＣ”と称する）コードビット）を含む。この場合に、ｍ＝２であり、符号化率ｒ＝１／３であり、反復回数＝１６である。例えば、信号受信装置は、総１６回の間にＢＣＨ信号を受信した後に、すなわち、総１９２０ビットを受信した後に、デインターリービング（ｄｅ−ｉｎｔｅｒｌｅａｖｉｎｇ）動作及びチャネル復号（ｃｈａｎｎｅｌ  ｄｅｃｏｄｉｎｇ）動作を実行した後に、ＣＲＣ検査を完了することにより正常にＢＣＨ情報データである２４ビットを復元できる。
【００７３】
一方、他のシンボル変調方式は、ＦＳＫ方式である。ＦＳＫ方式は、周波数ドメインで識別可能な情報ビットを１つのシンボルにマッピングし、送信しようとする情報ビットを異なる周波数リソースを通して送信する方式である。
【００７４】
ＱＡＭ方式において、所定の時間及び周波数リソースで同相（Ｉｎ  ｐｈａｓｅ：Ｉ−ｐｈａｓｅ）と直角位相（Ｑｕａｄｒａｔｕｒｅ  ｐｈａｓｅ：Ｑ−ｐｈａｓｅ）との組み合せで複素（ｃｏｍｐｌｅｘ）変調シンボルを生成し、複素変調シンボルの位置に従って異なる情報をマッピングさせて送信する。ＱＡＭ方式において、変調次数が増加するとしても必要な時間及び周波数リソースの変更はない。しかしながら、変調シンボル間の距離が短縮されるために、信号受信装置が誤りなしに信号を受信するためには比較的大きい送信電力を必要とする。すなわち、所定の時間及び周波数リソースが使用される場合に、送信電力が無限であると、無限のサイズを有する情報を誤りなしに送受信することができるので、ＱＡＭ方式は、帯域幅の観点で効率的な変調方式（例えば、帯域幅効率（ｂａｎｄｗｉｄｔｈ−ｅｆｆｉｃｉｅｎｔ）変調方式）として分類される。
【００７５】
これとは対照的に、ＦＳＫ方式において、所定の送信電力に対して時間及び周波数リソースを増加させる場合に、１つのシンボルを通して送信される情報のサイズが増加する。このような理由で、ＦＳＫ方式は、送信電力の観点で効率的な変調方式（例えば、電力効率（ｐｏｗｅｒ−ｅｆｆｉｃｉｅｎｔ）変調方式）として分類される。商業的な効率を考慮して周波数より送信電力で比較的高い効率を要求するためにＦＳＫ方式よりＱＡＭ方式が選好される。
【００７６】
図２は、本発明の一実施形態による通信システムにおけるＢＩＣＭ方式が使用される場合に付加白色ガウス雑音（ＡＷＧＮ）チャネル環境でＱＡＭ方式及びＦＳＫ方式のそれぞれの性能を示すグラフである。
【００７７】
図２を参照すると、グラフは、ＡＷＧＮチャネル、符号化率ｒ＝１／３、及びＢＩＣＭチャネル容量に基づく状況の下で生成され、シャノンのチャネル容量限界（Ｓｈａｎｎｏｎ’ｓ  ｃｈａｎｎｅｌ  ｃａｐａｂｉｌｉｔｙ  ｌｉｍｉｔ）、ＱＡＭ方式及びＦＳＫ方式のそれぞれの性能を示す。図２のグラフに示すように、横軸は、雑音電力密度とビットエネルギーの比Ｅｂ／Ｎ０［ｄＢ］を示し、縦軸は、帯域幅効率（Ｂａｎｄｗｉｄｔｈ  ｅｆｆｉｃｉｅｎｃｙ）［ｂｉｔｓ／ｓｅｃ／Ｈｚ］を示す。
【００７８】
図２を参照すると、ＱＡＭ方式の性能グラフは、ＱＡＭ方式で変調次数Ｍ＝４、８、１６、６４が使用される場合の性能を示す。ＱＡＭ方式の性能グラフで示すように、同一の符号化率では、変調次数が増加するほどより多くのＥｂ／Ｎ０が必要とされることが理解される。これとは反対に、Ｅｂ／Ｎ０が減少する場合には、一般的に、変調次数Ｍ＝４より小さな変調次数として変調次数を減少させることができないので、変調次数でない符号化率を減少させることにより所望するチャネル容量を取得できる。
【００７９】
しかしながら、符号化率の減少は、複雑度の増加により制限される。所定の第１の符号化率未満の符号化率に対しては、コードワードの反復送信が好ましい。例えば、ＬＴＥ移動通信システムにおいて、ＢＣＨに対しては符号化率ｒ＝１／３及び反復回数１６回が使用され、ＩＥＥＥ８０２．１６ｍ移動通信システムにおいて、ＢＣＨに対しては符号化率ｒ＝１／３及び反復回数８回が使用される。
【００８０】
ＱＡＭ方式において、符号化率ｒ＝１／３に基づくコードワードは、符号化率を減少させるために反復送信を通して使用される。この場合に、ＱＡＭ方式の帯域幅効率特性が消える問題点がある。
【００８１】
図３は、本発明の一実施形態による通信システムにおけるＦＳＫ方式及びＭ進符号化及び変調（ＣＭ）方式をサポートする信号送信装置の内部の構造を概略的に示すブロック図である。
【００８２】
図３を参照すると、信号送信装置は、第１の選択器３０２と、Ｍ進符号化器３０４と、レートマッチングユニット３１２と、Ｍ進ＦＳＫシンボルマッパ３１４と、リピータ３１６と、第２の選択器３１８と、ＦＳＫシンボルインターリーバ３２０と、論理リソースマッパ３２６と、物理リソースマッパ３２８と、ＩＦＦＴユニット３３０とを含む。Ｍ進符号化器３０４は、１６進符号化器３０６と、３２進符号化器３０８と、６４進符号化器３１０とを含む。また、ＦＳＫシンボルインターリーバ３２０は、複数のシンボルインターリーバ、例えば、Ｌ個のシンボルインターリーバ、例えば、第１のシンボルインターリーバ３２２乃至第Ｌのシンボルインターリーバ３２４を含む。
【００８３】
信号送信装置が第１の選択器３０２と、Ｍ進符号化器３０４と、レートマッチングユニット３１２と、Ｍ進ＦＳＫシンボルマッパ３１４と、リピータ３１６と、第２の選択器３１８と、ＦＳＫシンボルインターリーバ３２０と、論理リソースマッパ３２６と、物理リソースマッパ３２８と、ＩＦＦＴユニット３３０とともに個別のユニットとして図３に図示されているが、信号送信装置は、そのような構成が単に説明の便宜のためのものであることを理解すべきである。言い換えれば、信号送信装置は、第１の選択器３０２と、Ｍ進符号化器３０４と、レートマッチングユニット３１２と、Ｍ進ＦＳＫシンボルマッパ３１４と、リピータ３１６と、第２の選択器３１８と、ＦＳＫシンボルインターリーバ３２０と、論理リソースマッパ３２６と、物理リソースマッパ３２８と、ＩＦＦＴユニット３３０の中の２つ以上のユニットが単一のユニットに組み込まれることができることはもちろんである。また、第１の選択器３０２と、Ｍ進符号化器３０４と、レートマッチングユニット３１２と、Ｍ進ＦＳＫシンボルマッパ３１４と、リピータ３１６と、第２の選択器３１８と、ＦＳＫシンボルインターリーバ３２０と、論理リソースマッパ３２６と、物理リソースマッパ３２８と、ＩＦＦＴユニット３３０の位置は、変更可能であり、これらのユニットの中で特定のユニットは省略可能であることはもちろんである。
【００８４】
まず、情報ビット３００は、第１の選択器３０２に入力され、第１の選択器３０２は、所定の変調次数Ｍに従って情報ビット３００の中でｍ個の情報ビットをＭ進符号化器３０４に出力する。ｍ＝ｌｏｇ２（Ｍ）に従って１６進符号化器３０６に４ビットの情報ビットが入力され、３２進符号化器３０８に５ビットの情報ビットが入力され、６４進符号化器３１０に６ビットの情報ビットが入力される。１６進符号化器３０６は、入力されたビットを１６進符号化方式を使用して符号化することにより符号化ビット列を生成し、符号化ビット列をレートマッチングユニット３１２に出力する。３２進符号化器３０８は、入力されたビットを３２進符号化方式を用いて符号化して符号化ビット列を生成し、符号化ビット列をレートマッチングユニット３１２に出力する。６４進符号化器３１０は、入力されたビットを６４進符号化方式を用いて符号化して符号化ビット列を生成し、符号化ビット列をレートマッチングユニット３１２に出力する。
【００８５】
Ｍ進符号化器３０４から出力された符号化ビット列は、レートマッチングユニット３１２に入力され、レートマッチングユニット３１２は、Ｍ進符号化器３０４から出力された符号化ビット列を所定のレートマッチング方式を使用して所望する符号化率を有するビット列に変換した後にＭ進ＦＳＫシンボルマッパ３１４に出力する。Ｍ進ＦＳＫシンボルマッパ３１４は、変調次数Ｍを考慮して入力されたビット列の各々を１つの複素シンボルにマッピングすることによりＦＳＫシンボル列を生成し、ＦＳＫシンボル列をリピータ３１６に出力する。リピータ３１６は、Ｍ進ＦＳＫシンボルマッパ３１４から出力されたＦＳＫシンボル列を所定の反復回数だけ反復して反復シンボル列を生成し、反復シンボル列を第２の選択器３１８に出力する。
【００８６】
第２の選択器３１８は、リピータ３１６から出力された反復シンボル列を変調次数、符号化率、及び反復回数を考慮して第１のシンボルインターリーバ３２２乃至第Ｌのシンボルインターリーバ３２４の中の１つに出力する。第１のシンボルインターリーバ３２２乃至第Ｌのシンボルインターリーバ３２４の各々は、第２の選択器３１８から出力されたシンボル列を所定のインターリービングパターンに従ってインターリービングすることによりインターリービングされたシンボル列を生成し、インターリービングされたシンボル列を論理リソースマッパ３２６に出力する。例えば、第１のシンボルインターリーバ３２２乃至第Ｌのシンボルインターリーバ３２４の各々は、所定の長さ（Ｘ１乃至ＸＬ）に従ってシンボル単位で第２の選択器３１８から出力されたシンボル列をインターリービングし、インターリービングされたシンボル列を論理リソースマッパ３２６に出力する。ここで、Ｘ１は、第１のシンボルインターリーバ３２２が使用する長さを示し、ＸＬは、第Ｌのシンボルインターリーバ３２４が使用する長さを示す。
【００８７】
論理リソースマッパ３２６は、ＦＳＫシンボルインターリーバ３２０から出力されたインターリービングされたシンボル列を入力し、インターリービングされたシンボル列を送信のために使用される論理リソースにマッピングすることにより論理リソースマッピングシンボル列を生成し、論理リソースマッピングシンボル列を物理リソースマッパ３２８に出力する。物理リソースマッパ３２８は、論理リソースマッピングシンボル列を送信のために使用される物理リソースにマッピングすることにより物理リソースマッピングシンボル列を生成し、物理リソースマッピングシンボル列をＩＦＦＴユニット３３０に出力する。ＩＦＦＴユニット３３０は、物理リソースマッパ３２８から出力される物理リソースマッピングシンボル列に対してＩＦＦＴ動作を実行して時間ドメインシンボル列を生成した後に、時間ドメインシンボル列を出力する。ＩＦＦＴユニット３３０から出力された時間ドメインシンボル列は、追加の処理を通して信号受信装置に送信される。追加の処理については、その具体的な説明を省略する。
【００８８】
図４は、本発明の一実施形態による通信システムにおけるＭ進ＣＭ方式が使用される場合のＱＡＭ方式及びＦＳＫ方式のそれぞれの性能を示すグラフである。
【００８９】
図４を参照すると、グラフは、ＡＷＧＮチャネル、符号化率ｒ＝１／３、及びＣＭチャネル容量に基づく状況の下で生成され、シャノンのチャネル容量限界、ＱＡＭ方式及びＦＳＫ方式のそれぞれの性能を示す。図４のグラフに示すように、横軸は、雑音電力密度とビットエネルギーの比Ｅｂ／Ｎ０［ｄＢ］を示し、縦軸は、帯域幅効率［ｂｉｔｓ／ｓｅｃ／Ｈｚ］を示す。
【００９０】
図４を参照すると、ＦＳＫ方式の性能グラフは、ＦＳＫ方式で変調次数Ｍ＝２５６、１２８、６４、３２、１６、８、４、２が使用される場合の性能を示し、ＦＳＫ方式の性能グラフから、Ｍ進ＣＭ方式が使用される場合のＦＳＫ方式の性能は、ＢＩＣＭ方式が使用される場合のＦＳＫ方式の性能（例えば、図２のグラフに示す例のように）に比べて格段に向上することが理解される。
【００９１】
上述したように、ＦＳＫ方式は、電力の観点で効率的である。しかしながら、ＦＳＫ方式は、ＱＡＭ方式とは異なり、様々な変調次数に対して比較的低い帯域幅効率を有するという問題点がある。
【００９２】
本発明の様々な実施形態は、帯域幅の観点での効率的な変調方式（例えば、ＱＡＭ方式）及び電力の観点での効率的な変調方式（例えば、ＦＳＫ方式）に基づくＦＱＡＭ方式を提案し、ＦＱＡＭ方式について具体的に説明すると、次のようである。
【００９３】
一方、本発明の様々な実施形態によると、ＦＱＡＭ方式は、ＦＳＫ方式とＱＡＭ方式とが組み合せられる形態を有する変調方式である。しかしながら、ＦＱＡＭ方式は、ＦＳＫ方式とＱＡＭ方式とが組み合せられなくても、本発明の様々な実施形態に従って説明される方式と同一の方式で入力信号を変調することができるすべての変調方式の中の１つであることは、当該技術分野における当業者には明らかである。
【００９４】
まず、図５を参照して本発明の様々な実施形態によるＦＱＡＭ方式の基本概念について説明する。
【００９５】
図５は、本発明の様々な実施形態による通信システムにおけるＦＱＡＭ方式の基本概念を概略的に示す図である。
【００９６】
図５を参照すると、ＦＱＡＭ方式は、ＱＡＭ方式の特性及びＦＳＫ方式の特性を含む変調方式である。以下では、例えば、４進ＱＡＭ方式、例えば、４−ＱＡＭ（ＱＰＳＫ）方式及び４個の変調周波数を使用する４−ＦＳＫ方式に基づく１６−ＦＱＡＭ方式について説明する。
【００９７】
図５を参照すると、４−ＱＡＭ方式のコンステレーションは、変調されたディジタル信号がマッピングされる４個の信号点Ｓ１、Ｓ２、Ｓ３、及びＳ４を含む。４個の信号点は、同一のサイズを有し、隣接した２つの信号点間の９０°の位相差を有する複素変調シンボル（ａ，ａ）、（−ａ，ａ）、（−ａ，−ａ）、（ａ，−ａ）を含む。例えば、４個の信号点の各々には、情報ビット００、０１、１０、及び１１の中の１つがマッピングされる。
【００９８】
４−ＦＳＫ方式において、情報ビットの各々は、他の４個の変調周波数の中の１つを通して送信される。例えば、情報ビット００、０１、１０、及び１１の各々は、変調周波数ｆ１、ｆ２、ｆ３、及びｆ４の中の１つを通して送信される。
【００９９】
４−ＱＡＭ方式及び４−ＦＳＫ方式に基づく１６−ＦＱＡＭ方式では、４個の変調周波数ｆ１、ｆ２、ｆ３、及びｆ４の中の１つを通して４個の信号点Ｓ１、Ｓ２、Ｓ３、及びＳ４が送信される。例えば、Ｓ１、Ｓ２、Ｓ３、及びＳ４が変調周波数ｆ１を通して送信され、Ｓ１、Ｓ２、Ｓ３、及びＳ４が変調周波数ｆ２を通して送信され、Ｓ１、Ｓ２、Ｓ３、及びＳ４が変調周波数ｆ３を通して送信され、Ｓ１、Ｓ２、Ｓ３、及びＳ４が変調周波数ｆ４を通して送信される。したがって、１６−ＦＱＡＭ方式において、４−ＱＡＭ方式又は４−ＦＳＫ方式と同一の量を有する送信リソースを用いて１６個の情報ユニット（例えば、４個の情報ビット）が送信される。
【０１００】
ＦＱＡＭ方式は、コンステレーション及び周波数位置を用いて情報ビットをマッピングする変調方式である。図５を参照すると、シングルトーン（ｓｉｎｇｌｅ−ｔｏｎｅ）ＦＱＡＭ方式を図示したが、様々な周波数の様々なパターンを用いて情報ビットをマッピングするマルチトーン（ｍｕｌｔｉ−ｔｏｎｅ）ＦＱＡＭ方式が具現されることができることは、当該技術分野における当業者には明らかである。
【０１０１】
本発明の様々な実施形態によると、ＦＱＡＭ方式は、単一トーンＦＱＡＭ方式及びマルチトーンＦＱＡＭ方式のすべてを含む。
【０１０２】
図６は、本発明の一実施形態による通信システムにおけるＦＱＡＭ方式及びＭ進ＣＭ方式をサポートする信号送信装置の内部の構造を概略的に示すブロック図である。
【０１０３】
図６を参照すると、信号送信装置は、第１の選択器６０２と、Ｍ進符号化器６０４と、レートマッチングユニット６１２と、Ｍ進ＦＱＡＭシンボルマッパ６１４と、リピータ６１６と、第２の選択器６１８と、ＦＱＡＭシンボルインターリーバ６２０と、論理リソースマッパ６２６と、物理リソースマッパ６２８と、ＩＦＦＴユニット６３０を含む。Ｍ進符号化器６０４は、１６進符号化器６０６と、３２進符号化器６０８と、６４進符号化器６１０とを含む。また、ＦＱＡＭシンボルインターリーバ６２０は、複数のシンボルインターリーバ（例えば、Ｌ個のシンボルインターリーバ、例えば、第１のシンボルインターリーバ６２２乃至第Ｌのシンボルインターリーバ６２４）を含む。
【０１０４】
図６では、信号送信装置が第１の選択器６０２と、Ｍ進符号化器６０４と、レートマッチングユニット６１２と、Ｍ進ＦＱＡＭシンボルマッパ６１４と、リピータ６１６と、第２の選択器６１８と、ＦＱＡＭシンボルインターリーバ６２０と、論理リソースマッパ６２６と、物理リソースマッパ６２８と、ＩＦＦＴユニット６３０とは、個別のユニットとして図示されているが、信号送信装置は、そのような構成が単に説明の便宜のためのものであることを理解すべきである。言い換えれば、第１の選択器６０２と、Ｍ進符号化器６０４と、レートマッチングユニット６１２と、Ｍ進ＦＱＡＭシンボルマッパ６１４と、リピータ６１６と、第２の選択器６１８と、ＦＱＡＭシンボルインターリーバ６２０と、論理リソースマッパ６２６と、物理リソースマッパ６２８と、ＩＦＦＴユニット６３０の中の２つ以上のユニットが単一のユニットに組み込まれることができることはもちろんである。また、第１の選択器６０２と、Ｍ進符号化器６０４と、レートマッチングユニット６１２と、Ｍ進ＦＱＡＭシンボルマッパ６１４と、リピータ６１６と、第２の選択器６１８と、ＦＱＡＭシンボルインターリーバ６２０と、論理リソースマッパ６２６と、物理リソースマッパ６２８と、ＩＦＦＴユニット６３０の位置は、変更可能であり、これらのユニットの中で特定のユニットは省略可能であることはもちろんである。
【０１０５】
まず、情報ビット６００は、第１の選択器６０２に入力され、第１の選択器６０２は、所定の変調次数Ｍに従って情報ビット６００の中でｍ個の情報ビットをＭ進符号化器６０４に出力する。ここで、変調次数Ｍは、ＦＱＡＭ方式の変調次数を示す。４ビットの情報ビットがｍ＝ｌｏｇ２（Ｍ）に従って１６進符号化器６０６に入力され、５ビットの情報ビットが３２進符号化器６０８に入力され、６ビットの情報ビットが６４進符号化器６１０に入力される。ここで、変調次数Ｍは、信号受信装置からフィードバックされたチャネル品質情報（Ｃｈａｎｎｅｌ  Ｑｕａｌｉｔｙ  Ｉｎｆｏｒｍａｔｉｏｎ：以下、“ＣＱＩ”と称する）と隣接基地局（信号送信装置）又は上位エンティティの要請に従って決定された変調次数ＭＦ及びＭＱに基づいて決定される。例えば、変調次数Ｍは、Ｍ＝ＭＦ＊ＭＱのように決定される。ここで、変調次数ＭＦは、ＦＳＫ方式に関連したパラメータ（例えば、ＦＳＫ方式の変調次数）を意味し、変調次数ＭＱは、ＱＡＭ方式に関連したパラメータ（例えば、ＱＡＭ方式の変調次数）を意味する。変調次数ＭＦ及びＭＱは、図７を参照して説明するので、ここでは、その詳細な説明を省略する。
【０１０６】
また、１６進符号化器６０６は、入力されたビットを１６進符号化方式を用いて符号化して符号化ビット列を生成し、符号化ビット列をレートマッチングユニット６１２に出力する。３２進符号化器６０８は、入力されたビットを３２進符号化方式を用いて符号化して符号化ビット列を生成し、符号化ビット列をレートマッチングユニット６１２に出力する。６４進符号化器６１０は、入力されたビットを６４進符号化方式を用いて符号化して符号化ビット列を生成し、符号化ビット列をレートマッチングユニット６１２に出力する。
【０１０７】
Ｍ進符号化器６０４から出力された符号化ビット列は、レートマッチングユニット６１２に入力され、レートマッチングユニット６１２は、Ｍ進符号化器６０４から出力された符号化ビット列を所定のレートマッチング方式を使用して所望する符号化率を有するビット列に変換した後に、変換されたビット列をＭ進ＦＱＡＭシンボルマッパ６１４に出力する。Ｍ進ＦＱＡＭシンボルマッパ６１４は、変調次数ＭＦ及びＭＱを考慮して入力されたビット列の各々を１つの複素シンボルにマッピングすることによりＦＱＡＭシンボル列を生成し、ＦＱＡＭシンボル列をリピータ６１６に出力する。リピータ６１６は、ＦＱＡＭシンボル列を所定の反復回数だけ反復して反復されたシンボル列を生成し、反復されたシンボル列を第２の選択器６１８に出力する。
【０１０８】
第２の選択器６１８は、変調次数Ｍ、符号化率、及び反復回数を考慮して反復されたシンボル列を第１のシンボルインターリーバ６２２乃至第Ｌのシンボルインターリーバ６２４の中の１つに出力する。第１のシンボルインターリーバ６２２乃至第Ｌのシンボルインターリーバ６２４の各々は、第２の選択器６１８から出力されたシンボル列を所定のインターリービングパターンに従ってインターリービングすることによりインターリービングされたシンボル列を生成し、インターリービングされたシンボル列を論理リソースマッパ６２６に出力する。例えば、第１のシンボルインターリーバ６２２乃至第Ｌのシンボルインターリーバ６２４の各々は、所定の長さ（Ｘ１乃至ＸＬ）に従ってシンボル単位で第２の選択器６１８から出力されたシンボル列をインターリービングし、インターリービングされたシンボル列を論理リソースマッパ６２６に出力する。ここで、Ｘ１は、第１のシンボルインターリーバ６２２が使用する長さを示し、ＸＬは、第Ｌのシンボルインターリーバ６２４が使用する長さを示す。論理リソースマッパ６２６は、ＦＳＫシンボルインターリーバ６２０から出力されたインターリービングされたシンボル列を入力し、インターリービングされたシンボル列を送信のために使用される論理リソースにマッピングして論理リソースマッピングシンボル列を生成し、論理リソースマッピングシンボル列を物理リソースマッパ６２８に出力する。物理リソースマッパ６２８は、論理リソースマッピングシンボル列を送信のために使用される物理リソースにマッピングして物理リソースマッピングシンボル列を生成し、物理リソースマッピングシンボル列をＩＦＦＴユニット６３０に出力する。ＩＦＦＴユニット６３０は、物理リソースマッパ６２８から出力される物理リソースマッピングシンボル列に対してＩＦＦＴ動作を実行して時間ドメインシンボル列を生成した後に、時間ドメインシンボル列を出力する。ＩＦＦＴユニット６３０から出力された時間ドメインシンボル列は、追加の処理を通して信号受信装置に送信される。ここでは、この追加の処理についての具体的な説明を省略する。
【０１０９】
一方、図６に図示されている信号送信装置は、適切な送信方式を決定するために変調次数Ｍ、ＭＦ、及びＭＱ、符号化率、及び反復回数を決定する制御器を含む。以下では、図７を参照して信号送信装置に含まれる制御器が変調次数Ｍ、ＭＦ、及びＭＱ、符号化率、及び反復回数を決定する動作について詳細に説明する。
【０１１０】
図７は、本発明の一実施形態による通信システムにおけるＦＱＡＭ方式及びＭ進ＣＭ方式をサポートする信号送信装置に含まれる制御器の動作を概略的に示す図である。
【０１１１】
本発明の様々な実施形態によると、制御器７００は、図６で説明したような信号送信装置に含まれるユニットから個別に位置することもあり、ユニットの中で特定のユニット間に位置することもある。
【０１１２】
図７を参照すると、信号受信装置からフィードバックされたＣＱＩ及び干渉成分を示すパラメータα、β、δは、制御器７００に提供される。図７に示すように、信号送信装置は、信号受信装置からパラメータα、β、δを受信するが、パラメータα、β、δの中の少なくとも１つを受信することができることは、当該技術分野における当業者には明らかである。
【０１１３】
また、制御器７００がＣＱＩ及びパラメータα、β、δを受信する動作は、信号送信装置がＣＱＩ及びパラメータα、β、δを信号受信装置に要請する動作と信号送信装置が信号受信装置からの要請に応じてＣＱＩ及びパラメータα、β、δを受信する動作とを含む。
【０１１４】
パラメータα及びβは、干渉チャネルでの干渉成分がＣＧＧ（Ｃｏｍｐｌｅｘ  Ｇｅｎｅｒａｌｉｚｅｄ  Ｇａｕｓｓｉａｎ）分布を有するという仮定の下にモデリングする統計パラメータを示し、数式（１）で示すことができる。
【０１１５】
【数１】
0006424168.tif 000003
【０１１６】
数（１）において、ｋは、ＦＱＡＭシンボルインデックスを示し、ＦＱＡＭシンボルは、ＭＦ個の周波数トーン（ｔｏｎｅ）単位で生成され、ｌは、周波数トーンインデックスを示し、ここで、ｌ＝１，．．．，ＭＦである。
【０１１７】
数（１）において、
【数２】
0006424168.tif 000004
は、ガンマ（ｇａｍｍａ）関数である
【数３】
0006424168.tif 000005
を示し、ｋ番目のＦＱＡＭ受信信号から所望する信号を除く値を示し、ｋ番目のＦＱＡＭ受信信号に対してＭＦ（ｌ＝１からＭＦ）個の周波数トーンに対して表現される。ここで、総ＭＦ個の周波数トーンの中でＦＱＡＭ信号が搬送されるｍ［ｋ］周波数トーンに対して所望する信号が存在する。したがって、ｍ［ｋ］周波数トーンに対しては、所望する信号をｋ番目のＦＱＡＭ受信信号から減算することにより生成される値は、干渉信号と雑音との合計と同一であり、残りの周波数トーンに対しては、ｋ番目のＦＱＡＭ受信信号が干渉信号と雑音との合計と同一である。また、数式（１）において、
【数４】
0006424168.tif 000006
は、ｋ番目のＦＱＡＭシンボルに対するｌ番目の周波数トーンに対して所望する信号に関連したチャネル情報を示し、
【数５】
0006424168.tif 000007
は、ｋ番目の送信データシンボルに対するＱＡＭ信号を示す。
【０１１８】
数式（１）において、
【数６】
0006424168.tif 000008
は、デルタ関数を示し、ｍ［ｋ］がｌである場合には値‘１’を有し、ｍ［ｋ］がｌでない場合には値‘０’を有する。ｍ［ｋ］は、ＦＱＡＭ信号が搬送される周波数トーンインデックスを示す。
【０１１９】
パラメータαは、信号受信装置が受信信号から受信しようとする信号成分を除外した値の２次統計から誘導でき、パラメータβは、信号受信装置が受信信号からターゲットとする信号成分を除外した値の１次統計から誘導できる。また、パラメータδは、信号受信装置が計算した干渉統計モデル（例えば、キャリア間干渉（Ｉｎｔｅｒ−Ｃａｒｒｉｅｒ  Ｉｎｔｅｒｆｅｒｅｎｃｅ：以下、“ＩＣＩ”と称する）を示すヒストグラムとパラメータα及びβに基づいてモデリングしたＣＧＧ分布との間の差を示すインデックスである。例えば、干渉統計モデルとＣＧＧ分布との差が所定の差値より小さいか又は同一である場合に、パラメータδは、‘０’として決定され、干渉統計モデルとＣＧＧ分布との間の差が所定の差値より大きい場合に、パラメータδは、‘１’として決定される。
【０１２０】
信号送信装置は、信号受信装置からフィードバックされた干渉成分を示すパラメータα、β、及びδを周辺信号送信装置（又は基地局）又は上位エンティティと共有し、信号送信装置の通信領域内の信号受信装置が経験する干渉を予測する。ここで、予測された経験された干渉が正規分布（Ｎｏｒｍａｌ  Ｄｉｓｔｒｉｂｕｔｉｏｎ）である場合に、制御器７００は、信号送信装置が変調次数ＭＦを増加させるように少なくとも１つの周辺信号送信装置に要請するように制御することにより、関連した通信領域内の信号受信装置に対する干渉の正規分布特性を減少させるようにすることができる。他方、予測された干渉が正規分布でない場合に、制御器７００は、信号送信装置が送信効率を向上させるように少なくとも１つの周辺信号送信装置が変調次数ＭＱを増加させることができることを示す情報を送信するように制御し、これにより、少なくとも１つの周辺信号送信装置がこのような状況を認識するようにすることができる。
【０１２１】
図１５を参照して、本発明の一実施形態による通信システムにおけるＱＡＭ方式及び変調次数ＭＦが４であるＦＱＡＭ方式のパラメータα別ハルカーブ（Ｈｕｌｌ  Ｃｕｒｖｅ）の一例（スペクトル効率に対する信号対干渉及び雑音比（ＳＩＮＲ）  ）について説明する。
【０１２２】
図１５は、本発明の一実施形態による通信システムにおけるＱＡＭ方式及び変調次数ＭＦが４であるＦＱＡＭ方式のパラメータα別ハルカーブ（Ｈｕｌｌ  Ｃｕｒｖｅ）の一例（スペクトル効率に対する信号対干渉及び雑音比（ＳＩＮＲ）  ）を示すグラフである。
【０１２３】
図１５を参照すると、“ＭＣＳ  ｆｏｒ  ＱＡＭ  Ｂａｎｄ”で示すような曲線は、一般的なＱＡＭ方式のＭＣＳレベルに基づいて（例えば、表１）効率的なＳＩＮＲに従うスペクトル効率を示す。また、図１５において、Ｘ軸の効率的なＳＩＮＲは、信号受信装置で使用される受信アルゴリズムを適用した後にデータの復号のために使用されるＳＩＮＲを示し、スケールは、［ｄＢ］である。
【０１２４】
図１５に示すように、ＦＱＡＭ方式において、ＳＩＮＲが同一であるとしても、パラメータαの値に従って周波数効率が大きく変わる。例えば、ＳＩＮＲが−５［ｄＢ］であり、パラメータαの値が２である場合に、周波数効率は、約０．２である。他方、ＳＩＮＲが−５［ｄＢ］であり、パラメータαの値が０．３である場合に、周波数効率は、約０．６２である。
【０１２５】
一方、表２乃至表５において、変調次数ＭＦ＝４を有するＦＱＡＭ方式が使用される場合に、パラメータαの値に従うＭＣＳレベルの例が表現される。
【０１２６】
【表２】
0006424168.tif 000009
【０１２７】
表２を参照すると、パラメータαの値が０．３である場合のＭＣＳレベルが表現される。
【０１２８】
【表３】
0006424168.tif 000010
【０１２９】
表３を参照すると、パラメータαの値が０．５である場合のＭＣＳレベルが表現される。
【０１３０】
【表４】
0006424168.tif 000011
【０１３１】
表４を参照すると、パラメータαの値が０．７である場合のＭＣＳレベルが表現される。
【０１３２】
【表５】
0006424168.tif 000012
【０１３３】
表５を参照すると、パラメータαの値が２である場合のＭＣＳレベルが表現される。
【０１３４】
一方、ＦＱＡＭ方式が使用される場合のＭＣＳレベルを選択する方式は、ＱＡＭ方式が使用される場合のＭＣＳレベルを選択する方式とは異なり、信号受信装置（例えば、ＵＥ）及び信号送信装置（例えば、基地局）の各々を考慮して説明すると、次のようである。
【０１３５】
（１）  信号受信装置（ＵＥ）が考慮される場合
【０１３６】
信号受信装置は、信号送信装置に対するＭＣＳレベルを決定するためにＣＱＩ（例えば、ＳＩＮＲ）だけではなくパラメータαを使用する。したがって、上述したように、ＳＩＮＲが同一であるとしても、受信性能がパラメータαの値に従って異なる。
【０１３７】
信号送信装置がリソースを周波数領域又は時間領域に分類することによりＦＱＡＭ方式及びＱＡＭ方式を個別に運営しない場合に、信号受信装置は、ＱＡＭ方式のためのＭＣＳレベル選択方式が使用される場合と同様にＳＩＮＲを推定し、数式（１）を使用してパラメータαの値を推定する。信号受信装置は、図１５に関連して説明するように、推定されたたパラメータαの値に基づいて、信号受信装置に適合した変調次数ＭＦ及びＭＱと符号化率に対応するＭＣＳレベルとを決定し、決定されたＭＣＳレベルを示すフィードバック情報を信号送信装置に送信する。
【０１３８】
信号送信装置がリソースを周波数領域又は時間領域に分類することによりＦＱＡＭ方式とＱＡＭ方式とを個別に運営する場合に、信号受信装置は、ＱＡＭ方式のためのＱＡＭ運用リソース及びＦＱＡＭ方式のためのＦＱＡＭ運用リソースのそれぞれに対してＳＩＮＲ及びパラメータαの値を推定する。また、ＦＱＡＭ運用リソースは、ＭＦ別に分類される。例えば、ＦＱＡＭ運用リソースは、３つのタイプのリソースに分類される。例えば、ＦＱＡＭ運用リソースは、周波数領域及び／又は時間領域でのＱＡＭ方式のためのリソースと、４Ｆ基盤ＦＱＡＭ方式のためのリソースと、８Ｆ基盤ＦＱＡＭ方式のためのリソースに分類される。
【０１３９】
信号受信装置は、推定されたＳＩＮＲ及び推定されたパラメータαの値に基づいて適合したＭＣＳレベルを決定し、決定されたＭＣＳレベルを示すフィードバック情報を信号送信装置にフィードバックするか、又は推定されたＳＩＮＲ及び推定されたパラメータαを信号送信装置にフィードバックするか、又はフィードバック情報と、推定されたＳＩＮＲと、推定されたパラメータαの値を信号送信装置にフィードバックする。ここで、信号受信装置は、信号送信装置が運用する複数のタイプのリソースに対して上述したようなフィードバック動作を実行する。
【０１４０】
（２）信号送信装置（基地局）が考慮される場合
【０１４１】
信号送信装置は、信号受信装置から受信されたＳＩＮＲ及びパラメータαを使用して信号受信装置に適用される最終変調次数を決定する。
【０１４２】
信号送信装置がＦＱＡＭ方式のためのＦＱＡＭ運用リソースとＱＡＭ方式のためのＱＡＭ運営リソースとに分類せずリソースを運用する場合に、信号送信装置は、変調次数ＭＦ又はＭＱを増加させることを要請するメッセージが周辺信号送信装置又は上位エンティティから受信されるか否かを確認する。このメッセージが受信される場合に、信号送信装置は、このような要請を反映するか否かを判定して最終変調次数ＭＦ及びＭＱを決定する。
【０１４３】
一方、信号送信装置がリソースをＦＱＡＭ運営リソースとＱＡＭ運営リソースとに区分してリソースを運用する場合に、信号送信装置は、ＦＱＡＭ運営リソース及びＱＡＭ運営リソースに関するフィードバック情報を信号受信装置から受信し、この受信されたフィードバック情報に基づいて信号受信装置にＦＱＡＭ方式を適用するか又はＱＡＭ方式を適用するかを決定できる。
【０１４４】
信号送信装置がリソースをＦＱＡＭ運営リソースとＱＡＭ運営リソースとに区分せず、リソースを運営する場合に、信号送信装置は、信号受信装置から受信された干渉成分を示すパラメータα、β、及びδを使用して少なくとも１つの周辺信号送信装置の変調次数ＭＦ及び／又はＭＱの増加又は減少を行うように少なくとも１つの周辺信号送信装置に要請するか又は上位エンティティに要請できる。これについては、具体的に説明すると、次のようである。
【０１４５】
１）動作＃１
【０１４６】
信号送信装置は、信号受信装置から受信されたパラメータαをその値に従って昇順に整列し、上位Ａのパラメータαの値の各々が所定の第１のしきい値（例えば、‘α＿ｔｈｒｅｓｈｏｌｄ１’）より大きく、パラメータδの値が所定の第１の値（例えば、‘０’）である場合に、信号受信装置が経験する干渉が正規分布であると決定する。
【０１４７】
また、信号送信装置は、送信品質を向上させるためにパラメータαの値を減少させることができ、これについて具体的に説明すると、次のようである。すなわち、信号送信装置は、少なくとも１つの周辺信号送信装置が変調次数ＭＦを減少させるように少なくとも１つの周辺信号送信装置に直接要請するか又は上位エンティティに要請するメッセージを送信する。例えば、Ａは、‘９５’％であり、α＿ｔｈｒｅｓｈｏｌｄ１は、‘１．６’である。信号送信装置は、Ａ及びα＿ｔｈｒｅｓｈｏｌｄ１を予め設定するか、又はＡ及びα＿ｔｈｒｅｓｈｏｌｄ１を上位エンティティから受信することができる。
【０１４８】
２）動作＃２
【０１４９】
信号送信装置は、信号受信装置から受信されたパラメータαをその値に従って降順により上位Ｂのパラメータαの値の各々が所定の第２のしきい値（例えば、‘α＿ｔｈｒｅｓｈｏｌｄ２’）より小さく、パラメータδの値が‘０’である場合に、信号受信装置が経験する干渉が正規分布ではない、ＣＧＧ分布であると決定する。
【０１５０】
これは、信号受信装置の中で大部分の信号受信装置がフィードバックされたパラメータαの値が所定の第２の値より小さい場合であり、したがって、信号送信装置は、周辺信号送信装置の送信効率を向上させるために周辺信号送信装置で使用している変調次数ＭＦを増加させることを示す情報を含むメッセージを周辺信号送信装置又は上位エンティティに送信する。例えば、Ｂは、‘９５％’であり、α＿ｔｈｒｅｓｈｏｌｄ２は、‘０．５’であり得る。
【０１５１】
３）動作＃３
【０１５２】
信号送信装置は、信号受信装置の中で大部分の信号受信装置によりフィードバックされたパラメータδの値のそれぞれが所定の第２の値（例えば、‘１’）である場合に、信号受信装置が経験する干渉がＣＧＧ分布でないことを示すと決定し、信号受信装置が経験する干渉がＣＧＧ分布でないことを示す情報を上位エンティティに送信する。
【０１５３】
動作＃１乃至動作＃３において、信号送信装置は、変調次数ＭＦの増加又は減少の要請が周辺信号送信装置又は上位エンティティから受信されるか否かを決定する。この要請が受信される場合に、信号送信装置は、この要請を反映するか否かを判定することにより最終の変調次数ＭＦを決定する。
【０１５４】
動作＃１乃至動作＃３に対する制御器７００で最終変調次数ＭＦ及びＭＱを決定する動作についてより詳細に説明すると、次のようである。
【０１５５】
制御器７００は、ＣＱＩ及びパラメータα、β、δを入力し、ＣＱＩをＭＣＳレベル別リンク性能を示すリンクテーブルと比較して候補変調次数ＭＦ及びＭＱを決定する。また、制御器７００は、変調次数ＭＦ又はＭＱの変更を要請するメッセージが少なくとも１つの周辺信号送信装置又は上位エンティティから受信されるか否か、及び信号送信装置が、変調次数ＭＦ又はＭＱの変更を要請するメッセージが受信される場合にその要請を反映するか否かを示す情報のような運用基準を考慮して最終変調次数ＭＦ及びＭＱを決定する。この後に、制御器７００は、信号送信装置に適用される符号化率及び反復回数を決定する。
【０１５６】
図８は、本発明の一実施形態による通信システムにおけるＦＱＡＭ方式及びＭ進ＣＭ方式をサポートする信号受信装置の内部の構造を概略的に示すブロック図である。
【０１５７】
図８を参照すると、信号受信装置は、高速フーリエ変換（Ｆａｓｔ  Ｆｏｕｒｉｅｒ  Ｔｒａｎｓｆｏｒｍ：以下、“ＦＦＴ”と称する）ユニット８０２と、物理リソースデマッパ８０４と、論理リソースデマッパ８０６と、第１の選択器８１０と、ログ尤度比（Ｌｏｇ  Ｌｉｋｅｌｉｈｏｏｄ  Ｒａｔｉｏ：以下、“ＬＬＲ”と称する）ベクトル計算器８１２と、第２の選択器８１８と、ＦＱＡＭシンボルデインターリーバ（ｄｅ−ｉｎｔｅｒｌｅａｖｅｒ）８２０と、レートデマッチングユニット８２６と、第３の選択器８２８と、Ｍ進復号化器８３０とを含む。シンボルＬＬＲベクトル計算器８１２は、複数のシンボルＬＬＲベクトル計算器（例えば、第１のシンボルＬＬＲベクトル計算器８１４乃至第ＬのシンボルＬＬＲベクトル計算器８１６のようなＬ個のシンボルＬＬＲベクトル計算器）を含む。また、ＦＱＡＭシンボルデインターリーバ８２０は、複数のシンボルデインターリーバ一（例えば、第１のシンボルデインターリーバ８２２乃至第Ｌのシンボルデインターリーバ８２４のようなＬ個のシンボルデインターリーバ）を含む。また、Ｍ進復号化器８３０は、１６進復号化器８３２、３２進復号化器８３４、及び６４進復号化器８３６を含む。
【０１５８】
図８では、信号受信装置がＦＦＴユニット８０２と、物理リソースデマッパ８０４と、論理リソースデマッパ８０６と、第１の選択器８１０と、シンボルＬＬＲベクトル計算器８１２と、第２の選択器８１８と、ＦＱＡＭシンボルデインターリーバ８２０と、レートデマッチングユニット８２６と、第３の選択器８２８と、Ｍ進復号化器８３０とともに個別のユニットとして図示されているが、信号受信装置は、そのような構成が単に説明の便宜のためのものであることを理解すべきである。言い換えれば、ＦＦＴユニット８０２と、物理リソースデマッパ８０４と、論理リソースデマッパ８０６と、第１の選択器８１０と、シンボルＬＬＲベクトル計算器８１２と、第２の選択器８１８と、ＦＱＡＭシンボルデインターリーバ８２０と、レートデマッチングユニット８２６と、第３の選択器８２８と、Ｍ進復号化器８３０の中の２つ以上のユニットが単一のユニットに組み込まれることができることはもちろんである。また、ＦＦＴユニット８０２と、物理リソースデマッパ８０４と、論理リソースデマッパ８０６と、第１の選択器８１０と、シンボルＬＬＲベクトル計算器８１２と、第２の選択器８１８と、ＦＱＡＭシンボルデインターリーバ８２０と、レートデマッチングユニット８２６と、第３の選択器８２８と、Ｍ進復号化器８３０の位置は、変更可能であり、これらのユニットの中で特定のユニットは省略可能であることはもちろんである。
【０１５９】
受信信号８００は、ＦＦＴユニット８０２に入力され、ＦＦＴユニット８０２は、受信信号８００に対してＦＦＴ動作を実行することにより周波数ドメイン信号を生成し、周波数ドメイン信号を物理リソースデマッパ８０４に出力する。物理リソースデマッパ８０４は、ＦＦＴユニット８０２から出力された周波数ドメイン信号の中で所定の物理リソースにマッピングされた物理リソースマッピング信号を検出した後に、物理リソースマッピング信号を論理リソースデマッパ８０６に出力する。論理リソースデマッパ８０６は、物理リソースデマッパ８０４から出力された物理リソースマッピング信号の中で所定の論理リソースにマッピングされた論理リソースマッピング信号を検出し、論理リソースマッピング信号を第１の選択器８１０に出力する。
【０１６０】
第１の選択器８１０は、信号送信装置で使用された変調次数（例えば、変調次数ＭＦ及びＭＱ乃至シンボルＬＬＲベクトル計算器８１２）に従って論理リソースデマッパ８０６から出力された論理リソースマッピング信号を出力する。例えば、受信信号８００が４ＦＳＫ方式及び４ＱＡＭ方式に基づく変調方式（例えば、変調次数ＭＦ及びＭＱに従って４ＦＳＫ方式及び４ＱＡＭ方式に基づくＦＱＡＭ方式）を使用して送信されると決定される場合に、第１の選択器８１０は、論理リソースデマッパ８０６から出力された論理リソースマッピング信号を第１のシンボルＬＬＲベクトル計算器８１４に出力する。また、受信信号８００が１６ＦＳＫ方式及び４ＱＡＭ方式に基づく変調方式、例えば、１６ＦＳＫ方式及び４ＱＡＭ方式に基づくＦＱＡＭ方式を使用して送信されると決定される場合に、論理リソースデマッパ８０６から出力された論理リソースマッピング信号を第ＬのシンボルＬＬＲベクトル計算器８１６に出力する。図８に図示されていないが、受信信号８００が２ＦＳＫ方式及び８ＱＡＭ方式に基づく変調方式（例えば、２ＦＳＫ方式及び８ＱＡＭ方式に基づくＦＱＡＭ方式）、８ＦＳＫ方式及び２ＱＡＭ方式に基づく変調方式（例えば、８ＦＳＫ方式及び２ＱＡＭ方式に基づくＦＱＡＭ方式）、及び８ＦＳＫ方式及び８ＱＡＭ方式に基づく変調方式（例えば、８ＦＳＫ方式及び８ＱＡＭ方式に基づくＦＱＡＭ方式）の中の１つを使用して送信されると決定される場合に、第１の選択器８１０は、受信信号８００を第２のシンボルＬＬＲベクトル計算器乃至第Ｌ−１のシンボルＬＬＲベクトル計算器の中で関連したシンボルＬＬＲベクトル計算器に出力する。
【０１６１】
シンボルＬＬＲベクトル計算器８１２は、ＦＱＡＭ方式の変調次数（例えば、変調次数ＭＦ及びＭＱ）に従って受信信号８００から復旧しようとするシンボルに対するＬＬＲ値を計算する。ここで、変調次数ＭＦ及びＭＱは、信号送信装置から信号受信装置に通知される。例えば、通信システムがＬＴＥ移動通信システムである場合に、変調次数ＭＦ及びＭＱは、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ：以下、“ＰＤＣＣＨ”と称する）を通して予め通知される。
【０１６２】
第２の選択器８１８は、シンボルＬＬＲベクトル計算器８１２から出力されたシンボルに対するＬＬＲ値を信号送信装置でシンボルに適用された変調次数Ｍ、符号化率、及び反復回数を考慮してＦＱＡＭシンボルデインターリーバ８２０に出力する。例えば、第２の選択器８１８は、シンボルＬＬＲベクトル計算器８１２から出力されたシンボルに対するＬＬＲ値を信号送信装置でシンボルに適用した変調次数Ｍ、符号化率、及び反復回数を考慮して第１のシンボルデインターリーバ８２２乃至第Ｌのシンボルデインターリーバ８２４の中１つに出力する。第１のシンボルデインターリーバ８２２乃至第Ｌのシンボルデインターリーバ８２４の各々は、信号送信装置に含まれたＦＱＡＭシンボルインターリーバ６２０で使用されたインターリービングパターンに対応するデインターリービングパターンに従ってシンボルに対するＬＬＲ値をデインターリービングすることによりデインターリービングされた値を生成し、デインターリービングされた値をレートデマッチングユニット８２６に出力する。例えば、第１のシンボルデインターリーバ８２２乃至第Ｌのシンボルデインターリーバ８２４の各々は、所定の長さに従ってシンボル単位でシンボルに対するＬＬＲ値をデインターリービングし、デインターリービングされた値をレートデマッチングユニット８２６に出力する。例えば、第１のシンボルデインターリーバ８２２で使用される長さは、Ｘ１であり、第Ｌのシンボルデインターリーバ８２４で使用される長さは、ＸＬである。
【０１６３】
レートデマッチングユニット８２６は、デインターリービングされた値を信号送信装置に含まれるレートマッチングユニット６１２で実行されたレートマッチング動作に対応するシンボル単位で結合することによりレートデマッチングされた値を生成し、レートデマッチングされた値を第３の選択器８２８に出力する。レートデマッチングユニット８２６は、信号送信装置で使用された反復回数及び符号化率に従ってレートデマッチング動作を実行する。第３の選択器８２８は、信号送信装置で使用された変調次数Ｍに従ってレートデマッチングされた値をＭ進復号化器８３０に出力する。
【０１６４】
Ｍ進復号化器８３０は、第３の選択器８２８から出力されたレートデマッチングされた値のＭ進復号化を行うことによりｍ＝１ｏｇ２（Ｍ）情報ビットを復元し、復元された情報ビットを出力する。例えば、１６進復号化器８３２は、レートデマッチングされた値の１６進復号化を行うことにより４ビットの情報ビットを復元し、３２進復号化器８３４は、レートデマッチングされた値の３２進復号化を行うことにより５ビットの情報ビットを復元し、６４進復号化器８３６は、レートデマッチングされた値の６４進復号化を行うことにより６ビットの情報ビットを復元する。
【０１６５】
図９は、本発明の一実施形態による通信システムにおけるＦＱＡＭ方式及びＭ進ＣＭ方式をサポートする信号送信装置の動作を概略的に示すフローチャートである。
【０１６６】
図９を参照すると、信号送信装置は、ステップ９０２において、Ｍ進符号化方式を使用して情報ビットを符号化することにより符号化ビット列を生成する。その後に、信号送信装置は、動作９２０（例えば、変調次数決定動作）に進行する。
【０１６７】
動作９２０において、信号送信装置は、変調次数を決定する。動作９２０は、動作９０４乃至動作９０８を含み、これについて具体的に説明すると次のようである。
【０１６８】
動作９０４において、信号送信装置は、信号受信装置のフィードバック情報としてＣＱＩ及び干渉成分を示すパラメータα、β、δを取得する。
【０１６９】
動作９０６において、信号送信装置は、候補変調次数ＭＦ及びＭＱを決定する。例えば、信号送信装置は、各ＭＣＳレベルに対するリンク性能の値を示すリンクテーブルをＣＱＩと比較して候補変調次数ＭＦ及びＭＱを決定する。
【０１７０】
動作９０８において、信号送信装置は、最終変調次数ＭＦ及びＭＱを決定する。例えば、信号送信装置は、少なくとも１つの周辺信号送信装置又は上位エンティティから変調次数ＭＦ又はＭＱの変更を要請するメッセージが受信されたか否か、及び少なくとも１つの周辺信号送信装置又は上位エンティティから変調次数ＭＦ又はＭＱの変更を要請するメッセージが受信された場合にこの要請を反映するか否かを示す情報のような運用基準を考慮して最終変調次数ＭＦ及びＭＱを決定する。
【０１７１】
動作９１０において、信号送信装置は、決定された変調次数ＭＦ及びＭＱに従って符号化された情報ビットをＦＱＡＭシンボルにマッピングする。
【０１７２】
動作９１２において、信号送信装置は、変調次数ＭＦ及びＭＱ、及びリソース割り当て情報を送信する。例えば、信号送信装置は、変調次数ＭＦ及びＭＱと、送信される信号に対して割り当てられたリソースに関するリソース割り当て情報を信号受信装置に送信する。
【０１７３】
動作９１４において、信号送信装置は、ＦＱＡＭシンボルを送信する。例えば、信号送信装置は、所定のリソース（例えば、リソース割り当て情報で示されるリソース）を通してＦＱＡＭシンボルを送信する。
【０１７４】
図９を参照すると、信号送信装置が情報ビットをＦＱＡＭシンボルにマッピングし送信する動作について説明した。しかしながら、信号送信装置がパラメータα及びδを考慮して少なくとも１つの周辺信号送信装置又は上位エンティティに変調次数ＭＦ又はＭＱを増加させることを要請することができることは、当該技術分野における通常の知識を有する者には明らかであり、信号送信装置の要請動作は、上述した方式で実行されるので、ここでは、その説明を省略する。
【０１７５】
一方、図９が本発明の様々な実施形態による通信システムにおけるＦＱＡＭ方式及びＭ進ＣＭ方式をサポートする信号送信装置の動作を示しても、様々な変形が図９に対してなされることができることはもちろんである。例えば、図９には、連続的な動作が図示されているが、本発明の様々な実施形態によると、図９での様々な動作はオーバーラップするか、並列に発生するか、異なる順序で発生するか、又は複数回発生することもあることはもちろんである。
【０１７６】
図１０は、本発明の一実施形態による通信システムにおけるＦＱＡＭ方式及びＭ進ＣＭ方式をサポートする信号受信装置の動作を概略的に示すフローチャートである。
【０１７７】
図１０を参照すると、動作１０００において、信号受信装置は、信号送信装置から変調次数ＭＦ及びＭＱと受信される信号に対して割り当てられたリソースに関するリソース割り当て情報とを受信する。
【０１７８】
動作１００２において、信号受信装置は、信号送信装置から送信される信号を割り当てられたリソース（例えば、リソース割り当て情報が示すリソース）を通して受信する。
【０１７９】
動作１００４において、信号受信装置は、変調次数ＭＦ及びＭＱに従って受信信号から復元しようとするシンボルに対するシンボルＬＬＲ値を計算する。
【０１８０】
動作１００６において、信号受信装置は、シンボルＬＬＲ値をＭ進復号化方式を使用して復号化することにより情報ビットを復旧する。
【０１８１】
図１０を参照すると、信号受信装置が信号を受信し、受信された信号から情報ビットを復元する動作について説明した。しかしながら、信号受信装置は、信号送信装置からＣＱＩとパラメータα、β、δのフィードバックに対する要請を受信する時に、ＣＱＩ及びパラメータα、β、δを信号送信装置にフィードバックする動作を実行することができることは、当該技術分野における通常の知識を有する者には明らかである。
【０１８２】
一方、図１０が本発明の様々な実施形態による通信システムでＦＱＡＭ方式及びＭ進ＣＭ方式をサポートする信号受信装置の動作を示しても、様々な変形が図１０に対してなされることができることはもちろんである。例えば、図１０には、連続的な動作が図示されているが、本発明の様々な実施形態によると、図１０での様々な動作はオーバーラップするか、並列に発生するか、異なる順序で発生するか、又は複数回発生することもあることはもちろんである。
【０１８３】
図１１は、本発明の一実施形態による通信システムにおけるＱＡＭ方式及びＦＱＡＭ方式をサポートする信号送信装置の内部の構造の一例を示すブロック図である。
【０１８４】
図１１を参照すると、信号送信装置は、選択器１１０２と、スイッチ１１０４と、非２進チャネル符号化器１１０６と、レートマッチングユニット１１０８と、非２進ＦＱＡＭシンボルマッパ１１１０と、シンボルインターリーバ１１１２と、２進チャネル符号化器１１１４と、レートマッチングユニット１１１６と、ビットインターリーバ１１１８と、非２進ＱＡＭシンボルマッパ１１２０と、スイッチ１１２２と、論理リソースマッパ１１２４と、物理リソースマッパ１１２６とを含む。
【０１８５】
図１１では、信号送信装置が選択器１１０２と、スイッチ１１０４と、非２進チャネル符号化器１１０６と、レートマッチングユニット１１０８と、非２進ＦＱＡＭシンボルマッパ１１１０と、シンボルインターリーバ１１１２と、２進チャネル符号化器１１１４と、レートマッチングユニット１１１６と、ビットインターリーバ１１１８と、非２進ＱＡＭシンボルマッパ１１２０と、スイッチ１１２２と、論理リソースマッパ１１２４と、物理リソースマッパ１１２６とは、個別のユニットとして図示されているが、信号送信装置は、そのような構成が単に説明の便宜のためのものであることを理解すべきである。言い換えれば、選択器１１０２と、スイッチ１１０４と、非２進チャネル符号化器１１０６と、レートマッチングユニット１１０８と、非２進ＦＱＡＭシンボルマッパ１１１０と、シンボルインターリーバ１１１２と、２進チャネル符号化器１１１４と、レートマッチングユニット１１１６と、ビットインターリーバ１１１８と、非２進ＱＡＭシンボルマッパ１１２０と、スイッチ１１２２と、論理リソースマッパ１１２４と、物理リソースマッパ１１２６の中の２つ以上のユニットが単一のユニットに組み込まれることができることはもちろんである。また、選択器１１０２と、スイッチ１１０４と、非２進チャネル符号化器１１０６と、レートマッチングユニット１１０８と、非２進ＦＱＡＭシンボルマッパ１１１０と、シンボルインターリーバ１１１２と、２進チャネル符号化器１１１４と、レートマッチングユニット１１１６と、ビットインターリーバ１１１８と、非２進ＱＡＭシンボルマッパ１１２０と、スイッチ１１２２と、論理リソースマッパ１１２４と、物理リソースマッパ１１２６の位置は、変更可能であり、これらのユニットの中で特定のユニットは省略可能であることはもちろんである。
【０１８６】
図１１に示すように、ＦＱＡＭ方式のためには非２進チャネル符号化方式が使用され、ＱＡＭ方式のためには２進チャネル符号化方式が使用される。
【０１８７】
図１１を参照すると、選択器１１０２は、信号受信装置からフィードバックされたＳＩＮＲ、信号受信装置がハイブリッド自動反復要請（Ｈｙｂｒｉｄ  Ａｕｔｏｍａｔｉｃ  Ｒｅｐｅａｔ  ａｎｄ  ｒｅＱｕｅｓｔ：以下、“ＨＡＲＱ”と称する）方式をサポートするか否か及び信号受信装置の性能などを示す情報のような、予め定められる少なくとも１つの基準に従って変調方式を選択する。選択器１１０２に入力された情報ビットは、選択された変調方式に従ってスイッチ１１０４を通してＦＱＡＭ経路及びＱＡＭ経路の中１つに出力される。ここで、ＦＱＡＭ経路は、非２進チャネル符号化器１１０６と、レートマッチングユニット１１０８と、非２進ＦＱＡＭシンボルマッパ１１１０と、シンボルインターリーバ１１１２とを含み、ＱＡＭ経路は、２進チャネル符号化器１１１４と、レートマッチングユニット１１１６と、ビットインターリーバ１１１８と、非２進ＱＡＭシンボルマッパ１１２０とを含む。
【０１８８】
選択器１１０２は、所定のチャネル状態情報及び追加のパラメータに基づいて変調方式だけでなくＱＡＭ方式及び／又はＦＳＫ方式のための変調次数、符号化率、及び反復回数などを決定する制御器として動作できる。
【０１８９】
選択器１１０２がＦＱＡＭ方式を使用して情報ビットを送信することに決定する場合に、情報ビットは、ＦＱＡＭ経路に含まれているＭ進チャネル符号化器（例えば、非２進チャネル符号化器１１０６）に入力される。ここで、Ｍは、２より大きい整数である。非２進チャネル符号化器１１０６は、１個の入力ビットに対してパリティビットを生成する２進チャネル符号化器に比べて、複数の入力ビットに対してパリティビットを生成するように構成される。例えば、非２進チャネル符号化器１１０６は、２個の再帰型組織畳込み符号（Ｒｅｃｕｒｓｉｖｅ  Ｓｙｓｔｅｍａｔｉｃ  Ｃｏｎｖｏｌｕｔｉｏｎａｌ  Ｃｏｄｅ：以下、“ＲＳＣＣ”と称する）を並列に接続することにより構成され、複数のビットを使用してパリティビットを同時に生成する。例えば、非２進チャネル符号化器１１０６は、１６進ターボ符号化器、３２進ターボ符号化器、及び６４進ターボ符号化器の中の１つとして構成されることができる。これとは異なり、１６進ターボ符号化器、３２進ターボ符号化器、及び６４進ターボ符号化器の中の１つが省略されるか、又は他のターボ符号化器が１６進ターボ符号化器、３２進ターボ符号化器、及び６４進ターボ符号化器の中の１つと置き換えられるか、あるいは、１６進ターボ符号化器、３２進ターボ符号化器、及び６４進ターボ符号化器と追加で使用される。符号化率は、チャネル状態を示す推定値（例えば、ＳＮＲ、ＳＩＮＲなど）に従って目標フレーム誤り率（Ｆｒａｍｅ  Ｅｒｒｏｒ  Ｒａｔｅ：ＦＥＲ）を満足させることができるように決定されるＭＣＳレベルに従って決定される。
【０１９０】
非２進チャネル符号化器１１０６から出力されるビット列は、レートマッチングユニット１１０８に入力され、レートマッチングユニット１１０８は、所定のレートマッチング方式を使用して所望する送信率を有するビット列を生成し、このビット列を非２進ＦＱＡＭシンボルマッパ１１１０に出力する。非２進ＦＱＡＭシンボルマッパ１１１０は、レートマッチングユニット１１０８から出力された非２進ＦＱＡＭシンボルマッピング方式を使用してレートマッチングされたビット列を所定のＭ進ＦＱＡＭシンボルにマッピングした後に、Ｍ進ＦＱＡＭシンボルをシンボルインターリーバ１１１２に出力する。ここで、非２進ＦＱＡＭシンボルマッパ１１１０は、所定の変調次数（例えば、ＱＡＭ方式の変調次数ＭＱ及びＦＳＫ方式の変調次数ＭＦに基づくＦＱＡＭ方式の変調次数Ｍ）に従ってレートマッチングされたビット列に含まれているビットの中で所定数（例えば、Ｍ＝ＭＱ＊ＭＦ）のビットグループをＭ進ＦＱＡＭシンボルにマッピングすることによりＭ進ＦＱＡＭシンボル列を生成し、Ｍ進ＦＱＡＭシンボル列をシンボルインターリーバ１１１２に出力する。ここで、変調次数は、チャネル状態を示す推定値（例えば、ＳＮＲ、ＳＩＮＲなど）に従って目標フレーム誤り率（ＦＥＲ）を満足させることができるように決定されるＭＣＳレベルに従って決定される。
【０１９１】
シンボルインターリーバ１１１２は、非２進ＦＱＡＭシンボルマッパ１１１０から出力される非２進ＦＱＡＭシンボル列を所定のインターリービングパターンに従ってインターリービングすることにより、インターリービングされたシンボル列を生成し、インターリービングされたシンボル列をスイッチ１１２２に出力する。スイッチ１１２２は、シンボルインターリーバ１１１２から出力されたインターリービングされたシンボル列を論理リソースマッパ１１２４に出力する。ここで、シンボルインターリーバ１１１２は、変調次数、所定の符号化率、及び反復回数の中の少なくとも１つを考慮して動作できるように構成される。
【０１９２】
論理リソースマッパ１１２４は、入力されたシンボル列を所定の論理リソースにマッピングすることにより論理リソースマッピングシンボル列を生成し、論理リソースマッピングシンボル列を物理リソースマッパ１１２６に出力する。物理リソースマッパ１１２６は、論理リソースマッピングシンボル列を所定の物理リソースにマッピングすることにより物理リソースマッピングシンボル列を生成し、物理リソースマッピングシンボル列を出力する。論理リソースマッパ１１２４は、ＦＱＡＭ方式、特に、ＦＳＫ方式を考慮して、入力されたシンボル列を関連した周波数トーン又は副搬送波に割り当てる。また、物理リソースマッパ１１２６から出力された物理リソースマッピングシンボル列は、関連した物理リソースを通して無線で送信される。
【０１９３】
他方、選択器１１０２がＱＡＭ方式を使用して情報ビットを送信することに決定する場合に、情報ビットは、ＱＡＭ経路に含まれている２進チャネル符号化器１１１４に入力される。２進チャネル符号化器１１１４は、所定の２進チャネル符号化方式に従って情報ビットの２進チャネル符号化を行うことにより符号化ビット列を生成し、符号化ビット列をレートマッチングユニット１１１６に出力する。レートマッチングユニット１１１６は、２進チャネル符号化器１１１４から出力される符号化ビット列に対して所定のレートマッチング動作を実行することにより所定の送信率を有するビット列を生成し、このビット列をビットインターリーバ１１１８に出力する。ビットインターリーバ１１１８は、レートマッチングユニット１１１６から出力されたビット列を所定のインターリービングパターンに従ってインターリービングすることによりインターリービングされたビット列を生成し、インターリービングされたビット列を非２進ＱＡＭシンボルマッパ１１２０に出力する。ここで、ビットインターリーバ１１１８は、所定の符号化率及び反復回数の中の少なくとも１つを考慮して動作するように構成される。
【０１９４】
非２進ＱＡＭシンボルマッパ１１２０は、所定の変調次数Ｍに従ってインターリービングされた列に含まれたビットの中で所定数（Ｍ）のビットを非２進ＱＡＭシンボルにマッピングすることによりＱＡＭシンボル列を生成し、非２進ＱＡＭシンボル列をスイッチ１１２２を通して論理リソースマッパ１１２４に出力する。ここで、変調次数Ｍは、チャネル状態を示す推定値（例えば、ＳＮＲ、ＳＩＮＲなど）に従って目標ＦＥＲを満足させることができるように決定されるＭＣＳレベルに従って決定されることができる。論理リソースマッパ１１２４は、入力されたシンボル列を所定の論理リソースにマッピングすることにより論理リソースマッピングシンボル列を生成し、論理リソースマッピングシンボル列を物理リソースマッパ１１２６に出力する。物理リソースマッパ１１２６は、論理リソースマッピングシンボル列を所定の物理リソースにマッピングすることにより物理リソースマッピングシンボル列を出力する。物理リソースマッパ１１２６から出力される物理リソースマッピングシンボル列は、追加の処理を通して信号受信装置に送信される。ここでは、追加の処理に関する具体的な説明を省略する。
【０１９５】
図１２は、本発明の一実施形態による通信システムにおけるＱＡＭ方式及びＦＱＡＭ方式をサポートする信号受信装置の内部の構造の一例を概略的に示すブロック図である。
【０１９６】
図１２を参照すると、信号受信装置は、物理リソースデマッパ１２０２と、論理リソースデマッパ１２０４と、選択器１２０６と、スイッチ１２０８と、シンボルＬＬＲ計算器１２１０と、シンボルデインターリーバ１２１２と、レートデマッチングユニット１２１４と、非２進チャネル復号化器１２１６と、ビットＬＬＲ計算器１２１８と、ビットデインターリーバ１２２０と、レートデマッチングユニット１２２２と、２進チャネル復号化器１２２４とを含む。
【０１９７】
図１２では、信号受信装置が物理リソースデマッパ１２０２と、論理リソースデマッパ１２０４と、選択器１２０６と、スイッチ１２０８と、シンボルＬＬＲ計算器１２１０と、シンボルデインターリーバ１２１２と、レートデマッチングユニット１２１４と、非２進チャネル復号化器１２１６と、ビットＬＬＲ計算器１２１８と、ビットデインターリーバ１２２０と、レートデマッチングユニット１２２２と、２進チャネル復号化器１２２４とは、個別のユニットとして図示されているが、信号受信装置は、そのような構成が単に説明の便宜のためのものであることを理解すべきである。言い換えれば、物理リソースデマッパ１２０２と、論理リソースデマッパ１２０４と、選択器１２０６と、スイッチ１２０８と、シンボルＬＬＲ計算器１２１０と、シンボルデインターリーバ１２１２と、レートデマッチングユニット１２１４と、非２進チャネル復号化器１２１６と、ビットＬＬＲ計算器１２１８と、ビットデインターリーバ１２２０と、レートデマッチングユニット１２２２と、２進チャネル復号化器１２２４の中の２つ以上のユニットが単一のユニットに組み込まれることができることはもちろんである。また、物理リソースデマッパ１２０２と、論理リソースデマッパ１２０４と、選択器１２０６と、スイッチ１２０８と、シンボルＬＬＲ計算器１２１０と、シンボルデインターリーバ１２１２と、レートデマッチングユニット１２１４と、非２進チャネル復号化器１２１６と、ビットＬＬＲ計算器１２１８と、ビットデインターリーバ１２２０と、レートデマッチングユニット１２２２と、２進チャネル復号化器１２２４の位置は、変更可能であり、これらのユニットの中で特定のユニットは省略可能であることはもちろんである。
【０１９８】
図１２を参照すると、ＦＱＡＭ方式を使用して変調された信号の受信のためには非２進チャネル復号化方式が使用され、ＱＡＭ方式を使用して変調された信号の受信のためには２進チャネル復号化方式が使用される。
【０１９９】
図１２を参照すると、物理リソースデマッパ１２０２は、受信された信号から所定の物理リソースにマッピングされた物理リソースマッピング信号を検出し、物理リソースマッピング信号を論理リソースデマッパ１２０４に出力する。論理リソースデマッパ１２０４は、物理リソースマッピング信号から所定の論理リソースにマッピングされた論理リソースマッピング信号を検出し、論理リソースマッピング信号を選択器１２０６に出力する。選択器１２０６は、信号送信装置からの指示に従って信号送信装置で使用された変調方式と同一の変調方式を選択する。論理リソースデマッパ１２０４により検出された信号は、スイッチ１２０８を通してＦＱＡＭ経路及びＱＡＭ経路の中１つに出力される。ここで、ＦＱＡＭ経路は、シンボルＬＬＲ計算器１２１０と、シンボルデインターリーバ１２１２と、レートデマッチングユニット１２１４と、非２進チャネル復号化器１２１６とを含み、ＱＡＭ経路は、ビットＬＬＲ計算器１２１８と、ビットデインターリーバ１２２０と、レートデマッチングユニット１２２２と、２進チャネル復号化器１２２４とを含む。
【０２００】
一方、選択器１２０６は、所定のチャネル状態情報及び追加のパラメータに基づいて信号送信装置で使用された選択アルゴリズムと同一の選択アルゴリズムを使用して変調次数だけでなく、ＱＡＭ方式及び／又はＦＳＫ方式のための変調次数、符号化率、反復回数なども決定する制御器として動作できる。
【０２０１】
受信信号がＦＱＡＭ方式を使用して送信される場合に、受信信号は、ＦＱＡＭ経路に含まれるシンボルＬＬＲ計算器１２１０に入力される。シンボルＬＬＲ計算器１２１０は、ＦＱＡＭ方式の変調次数に従って受信信号から復旧しようとするシンボルに対するＬＬＲ値を計算する。シンボルデインターリーバ１２１２は、信号送信装置に含まれるシンボルインターリーバ１１１２で使用されたインターリービングパターンに対応するデインターリービングパターンに従ってシンボルに対するＬＬＲ値をデインターリービングすることによりデインターリービングされた値を生成し、デインターリービングされた値をレートデマッチングユニット１２１４に出力する。レートデマッチングユニット１２１４は、デインターリービングされた値を信号送信装置に含まれるレートマッチングユニット１１０８で実行したレートマッチング動作の逆動作に対応してシンボル単位で結合することによりレートデマッチングされた値を生成し、レートデマッチングされた値を非２進チャネル復号化器１２１６に出力する。ここで、シンボルデインターリーバ１２１２は、信号送信装置で使用された変調次数、符号化率、反復回数の中の少なくとも１つを考慮して動作できるように構成される。また、レートデマッチングユニット１２１４は、信号送信装置で使用された反復回数及び符号化率に従って動作する。
【０２０２】
非２進チャネル復号化器１２１６は、信号送信装置に含まれる非２進チャネル符号化器１１０６で使用された変調次数及び符号化率に従ってレートデマッチングされた値に対してチャネル復号動作を実行することにより情報ビットを復旧する。非２進チャネル復号化器１２１６は、非２進チャネル符号化器１１０６のタイプに従って、１６進ターボ復号化器、３２進ターボ復号化器、及び６４進ターボ復号化器の中の１つとして構成されることができる。
【０２０３】
他方、受信信号がＱＡＭ方式を使用して送信される場合に、受信信号は、ＱＡＭ経路に含まれるビットＬＬＲ計算器１２１８に入力される。ビットＬＬＲ計算器１２１８は、ＱＡＭ方式の変調次数に従って受信信号から復旧しようとするビットに対するＬＬＲ値を計算し、ビットに対するＬＬＲ値をビットデインターリーバ１２２０に出力する。ビットデインターリーバ１２２０は、信号送信装置に含まれるビットインターリーバ１１１８で使用されたインターリービングパターンに対応するデインターリービングパターンに従ってビットＬＬＲ値をデインターリービングすることによりデインターリービングされた値を生成し、デインターリービングされた値をレートデマッチングユニット１２２２に出力する。レートデマッチングユニット１２２２は、デインターリービングされた値を信号送信装置に含まれるレートマッチングユニット１１１６で実行したレートマッチング動作の逆動作に対応してシンボル単位で結合することによりレートデマッチングされた値を生成し、レートデマッチングされた値をビットデインターリーバ１２２０に出力する。ビットデインターリーバ１２２０は、信号送信装置で使用された符号化率、反復回数の中の少なくとも１つを考慮して動作できるように構成される。レートデマッチングユニット１２２２は、信号送信装置で使用された反復回数及び符号化率に従って動作する。
【０２０４】
２進チャネル復号化器１２２４は、信号送信装置に含まれる２進チャネル符号化器１１１４で使用された符号化率に従ってレートデマッチングされた値に対してチャネル復号動作を実行することにより情報ビットを復旧する。
【０２０５】
図１３は、本発明の一実施形態による通信システムにおけるＱＡＭ方式及びＦＱＡＭ方式をサポートする信号送信装置の内部の構造の一例を概略的に示すブロック図である。
【０２０６】
図１３を参照すると、信号送信装置は、外部符号化器（ｏｕｔｅｒ  ｅｎｃｏｄｅｒ）１３０２と、レートマッチングユニット１３０４と、ビットインターリーバ１３０６と、選択器１３０８と、スイッチ１３１０と、内部符号化器１３１２と、非２進ＦＱＡＭシンボルマッパ１３１４と、非２進ＱＡＭシンボルマッパ１３１６と、スイッチ１３１８と、論理リソースマッパ１３２０と、物理リソースマッパ１３２２とを含む。
【０２０７】
図１３では、外部符号化器１３０２と、レートマッチングユニット１３０４と、ビットインターリーバ１３０６と、選択器１３０８と、スイッチ１３１０と、内部符号化器１３１２と、非２進ＦＱＡＭシンボルマッパ１３１４と、非２進ＱＡＭシンボルマッパ１３１６と、スイッチ１３１８と、論理リソースマッパ１３２０と、物理リソースマッパ１３２２とが個別のユニットとして図示されているが、信号送信装置は、外部符号化器１３０２と、レートマッチングユニット１３０４と、ビットインターリーバ１３０６と、選択器１３０８と、スイッチ１３１０と、内部符号化器１３１２と、非２進ＦＱＡＭシンボルマッパ１３１４と、非２進ＱＡＭシンボルマッパ１３１６と、スイッチ１３１８と、論理リソースマッパ１３２０と、物理リソースマッパ１３２２の中の２つ以上のユニットが単一のユニットに組み込まれることができることはもちろんである。また、外部符号化器１３０２と、レートマッチングユニット１３０４と、ビットインターリーバ１３０６と、選択器１３０８と、スイッチ１３１０と、内部符号化器１３１２と、非２進ＦＱＡＭシンボルマッパ１３１４と、非２進ＱＡＭシンボルマッパ１３１６と、スイッチ１３１８と、論理リソースマッパ１３２０と、物理リソースマッパ１３２２の位置は、変更可能であり、これらのユニットの中で特定のユニットは省略可能であることはもちろんである。
【０２０８】
図１３に図示されている信号送信装置の構造では、使用される変調方式に関係なく、特定のチャネル符号化方式（例えば、非２進チャネル符号化方式）が基本的に使用され、ＦＱＡＭ方式のために追加のチャネル符号化方式が使用される。
【０２０９】
図１３を参照すると、外部符号化器１３０２は、所定の外部符号化方式を用いて入力される情報ビットを符号化することにより第１の符号化ビット列を生成した後に、第１の符号化ビット列をレートマッチングユニット１３０４に出力する。例えば、外部符号化器１３０２で使用される外部符号化方式は、ターボ符号化方式、低密度パリティ検査（Ｌｏｗ  Ｄｅｎｓｉｔｙ  Ｐａｒｉｔｙ  Ｃｈｅｃｋ：以下、“ＬＤＰＣ”と称する）符号化方式、畳込み符号（Ｃｏｎｖｏｌｕｔｉｏｎａｌ  Ｃｏｄｅ）方式、反復−蓄積（Ｒｅｐｅａｔ−Ａｃｃｕｍｕｌａｔｅ：以下、“ＲＡ”と称する）符号化方式などの中の１つであり得る。レートマッチングユニット１３０４は、第１の符号化ビット列に対して所定のレートマッチング方式に対応するレートマッチング動作を実行することにより所定の送信率を有するレートマッチングされたビット列を生成し、このレートマッチングされたビット列をビットインターリーバ１３０６に出力する。ビットインターリーバ１３０６は、レートマッチングされたビット列に対して所定のインターリービングパターンに従ってインターリービング動作を実行することによりインターリービングされたビット列を生成し、インターリービングされたビット列を選択器１３０８に出力する。
【０２１０】
選択器１３０８は、信号受信装置からフィードバックされた受信ＳＩＮＲと、信号受信装置がハイブリッド自動反復要請（Ｈｙｂｒｉｄ  Ａｕｔｏｍａｔｉｃ  Ｒｅｐｅａｔ  ｒｅＱｕｅｓｔ：以下、“ＨＡＲＱ”と称する）方式をサポートするか否かを示す情報及び信号受信装置の性能のような、所定の少なくとも１つの基準に従って変調方式を選択する。選択器１３０８は、選択された変調方式に従って、選択器１３０８に入力されたインターリービングされたビット列をスイッチ１３１０を通してＦＱＡＭ経路及びＱＡＭ経路の中の１つに出力する。ここで、ＦＱＡＭ経路は、内部符号化器１３１２及び非２進ＦＱＡＭシンボルマッパ１３１４を含み、ＱＡＭ経路は、非２進ＱＡＭシンボルマッパ１３１６を含む。
【０２１１】
選択器１３０８は、所定のチャネル状態情報及び追加のパラメータに基づいて、変調方式だけでなくＱＡＭ方式及び／又はＦＳＫ方式のための変調次数、符号化率などを追加で決定する制御器として動作できる。
【０２１２】
一方、ＦＱＡＭ方式が選択される場合に、インターリービングされたビット列は、ＦＱＡＭ経路に含まれる内部符号化器１３１２に入力される。内部符号化器１３１２は、所定の内部符号化方式を使用してインターリービングされたビット列を符号化することにより第２の符号化ビット列を生成し、第２の符号化ビット列を非２進ＦＱＡＭシンボルマッパ１３１４に出力する。例えば、内部符号化器１３１２のための内部符号化方式は、トレリス符号（Ｔｒｅｌｌｉｓ  Ｃｏｄｅ）方式であり得る。非２進ＦＱＡＭシンボルマッパ１３１４は、内部符号化器１３１２により生成された第２の符号化ビット列を所定の非２進ＦＱＡＭシンボルマッピング方式に対応してシンボルマッピングすることによりＭ進ＦＱＡＭシンボルを生成した後に、Ｍ進ＦＱＡＭシンボルをスイッチ１３１８を通して論理リソースマッパ１３２０に出力する。非２進ＦＱＡＭシンボルマッパ１３１４は、所定の変調次数（例えば、ＱＡＭ方式の変調次数ＭＱ及びＦＳＫ方式の変調次数ＭＦに基づくＦＱＡＭ方式の変調次数Ｍ）に従って第２の符号化ビット列に含まれているビットグループの中で所定数（例えば、Ｍ＝ＭＱ＊ＭＦ）のビットグループを非２進ＦＱＡＭシンボルにマッピングすることにより非２進ＦＱＡＭシンボル列を生成し、生成された非２進ＦＱＡＭシンボル列をスイッチ１３１８を通して論理リソースマッパ１３２０に出力する。ここで、変調次数は、チャネル状態を示す推定値（例えば、ＳＮＲ、ＳＩＮＲなど）に従って目標ＦＥＲを満足させることができるように決定されるＭＣＳレベルに従って決定される。
【０２１３】
非２進ＦＱＡＭシンボルマッパ１３１４により生成された非２進ＦＱＡＭシンボル列は、論理リソースマッパ１３２０に入力される。論理リソースマッパ１３２０は、入力された非２進ＦＱＡＭシンボル列を所定の論理リソースにマッピングすることにより論理リソースマッピングシンボル列を生成し、論理リソースマッピングシンボル列を物理リソースマッパ１３２２に出力する。物理リソースマッパ１３２２は、論理リソースマッピングシンボル列を所定の物理リソースにマッピングすることにより物理リソースマッピングシンボル列を生成し、物理リソースマッピングシンボル列を出力する。論理リソースマッパ１３２０は、ＦＱＡＭ方式、特に、ＦＳＫ方式を考慮して、入力された非２進ＦＱＡＭシンボル列を関連する周波数トーン又は関連した副搬送波に割り当てる。物理リソースマッパ１３２２から出力される物理リソースマッピングシンボル列は、追加の処理を通して信号受信装置に送信される。ここでは、追加の処理についての具体的な説明を省略する。
【０２１４】
他方、ＱＡＭ方式が選択される場合に、インターリービングされたビット列は、ＱＡＭ経路に含まれる非２進ＱＡＭシンボルマッパ１３１６に入力される。非２進ＱＡＭシンボルマッパ１３１６は、所定の変調次数Ｍに従ってインターリービングされたビット列に含まれるビットグループの中で所定数（Ｍ）のビットグループを非２進ＱＡＭシンボルにマッピングすることにより非２進ＱＡＭシンボル列を生成し、生成された非２進ＱＡＭシンボル列をスイッチ１３１８を通して論理リソースマッパ１３２０に出力する。ここで、変調次数は、チャネル状態を示す推定値（例えば、ＳＮＲ、ＳＩＮＲなど）に従って目標ＦＥＲを満足させることができるように決定されるＭＣＳレベルに従って決定される。
【０２１５】
論理リソースマッパ１３２０は、入力された非２進ＱＡＭシンボル列を所定の論理リソースにマッピングすることにより論理リソースマッピングシンボル列を生成し、論理リソースマッピングシンボル列を物理リソースマッパ１３２２に出力する。物理リソースマッパ１３２２は、論理リソースマッピングシンボル列を所定の物理リソースにマッピングすることにより物理リソースマッピングシンボル列を生成し、物理リソースマッピングシンボル列を出力する。物理リソースマッパ１３２２から出力される物理リソースマッピングシンボル列は、追加の処理を通して信号受信装置に送信される。ここでは、追加の処理に関する具体的な説明を省略する。
【０２１６】
図１４は、本発明の一実施形態による通信システムにおけるＱＡＭ方式及びＦＱＡＭ方式をサポートする信号受信装置の内部の構造の他の例を概略的に示すブロック図である。
【０２１７】
図１４を参照すると、信号受信装置は、物理リソースデマッパ１４０２と、論理リソースデマッパ１４０４と、選択器１４０６と、スイッチ１４０８と、シンボルＬＬＲ計算器１４１０と、内部復号化器１４１２と、ビットＬＬＲ計算器１４１４と、スイッチ１４１６と、ビットデインターリーバ１４１８と、レートデマッチングユニット１４２０と、外部復号化器１４２２とを含む。
【０２１８】
図１４では、物理リソースデマッパ１４０２と、論理リソースデマッパ１４０４と、選択器１４０６と、スイッチ１４０８と、シンボルＬＬＲ計算器１４１０と、内部復号化器１４１２と、ビットＬＬＲ計算器１４１４と、スイッチ１４１６と、ビットデインターリーバ１４１８と、レートデマッチングユニット１４２０と、外部復号化器１４２２とが個別のユニットとして図示されているが、信号受信装置は、物理リソースデマッパ１４０２と、論理リソースデマッパ１４０４と、選択器１４０６と、スイッチ１４０８と、シンボルＬＬＲ計算器１４１０と、内部復号化器１４１２と、ビットＬＬＲ計算器１４１４と、スイッチ１４１６と、ビットデインターリーバ１４１８と、レートデマッチングユニット１４２０と、外部復号化器１４２２の中の２つ以上のユニットが単一のユニットに組み込まれることができることはもちろんである。また、物理リソースデマッパ１４０２と、論理リソースデマッパ１４０４と、選択器１４０６と、スイッチ１４０８と、シンボルＬＬＲ計算器１４１０と、内部復号化器１４１２と、ビットＬＬＲ計算器１４１４と、スイッチ１４１６と、ビットデインターリーバ１４１８と、レートデマッチングユニット１４２０と、外部復号化器１４２２の位置は、変更可能であり、これらのユニットの中で特定のユニットは省略可能であることはもちろんである。
【０２１９】
図１４に図示されている信号受信装置の構造では、ＦＱＡＭ方式を使用して変調された信号の受信のためには非２進チャネル復号化方式が使用され、ＱＡＭ方式を使用して変調された信号の受信のためには２進チャネル復号化方式が使用される。
【０２２０】
図１４を参照すると、物理リソースデマッパ１４０２は、受信された信号から所定の物理リソースにマッピングされた物理リソースマッピング信号を検出し、物理リソースマッピング信号を論理リソースデマッパ１４０４に出力する。論理リソースデマッパ１４０４は、物理リソースマッピング信号から所定の論理リソースにマッピングされた論理リソースマッピング信号を検出し、論理リソースマッピング信号を選択器１４０６に出力する。選択器１４０６は、信号送信装置からの指示に従って信号送信装置で使用された変調方式と同一の変調方式を選択する。論理リソースマッピング信号は、スイッチ１４０８を通してＦＱＡＭ経路及びＱＡＭ経路の中の１つに入力される。ＦＱＡＭ経路は、シンボルＬＬＲ計算器１４１０と内部復号化器１４１２とを含み、ＱＡＭ経路は、ビットＬＬＲ計算器１４１４を含む。
【０２２１】
一方、選択器１４０６は、推定されたチャネル状態情報及び追加のパラメータに基づいて信号送信装置で使用された選択アルゴリズムと同一の選択アルゴリズムを使用して変調次数だけでなく、ＱＡＭ方式及び／又はＦＳＫ方式のための変調次数、符号化率、反復回数なども追加で決定する制御器として動作できる。
【０２２２】
受信信号がＦＱＡＭ方式を使用して送信される場合に、受信信号は、ＦＱＡＭ経路に含まれるシンボルＬＬＲ計算器１４１０に入力される。シンボルＬＬＲ計算器１４１０は、ＦＱＡＭ方式の変調次数に従って受信信号から復旧しようとするシンボルに対するＬＬＲ値を計算し、シンボルに対するＬＬＲ値を内部復号化器１４１２に出力する。内部復号化器１４１２は、信号送信装置に含まれる内部符号化器１３１２で使用された符号化率に従ってシンボルに対するＬＬＲ値のチャネル復号化動作を実行することにより符号化ビットを復旧し、復旧された符号化ビットをスイッチ１４１６を通してビットデインターリーバ１４１８に出力する。ここで、内部復号化器１４１２は、符号化ビット列、ソフト値（ｓｏｆｔ  ｖａｌｕｅｓ）、又はハード値（ｈａｒｄ  ｖａｌｕｅｓ）を出力する。
【０２２３】
他方、受信信号がＱＡＭ方式を使用して送信される場合に、受信信号は、ＱＡＭ経路に含まれるビットＬＬＲ計算器１４１４に入力される。ビットＬＬＲ計算器１４１４は、ＱＡＭ方式の変調次数に従って受信信号から復旧しようとするビットに対するＬＬＲ値を計算し、ビットに対するＬＬＲ値をスイッチ１４１６を通してビットデインターリーバ１４１８に出力する。
【０２２４】
ビットデインターリーバ１４１８は、内部復号化器１４１２により復号化された出力値又はビットＬＬＲ計算器１４１４により計算されたビットＬＬＲ値を信号送信装置に含まれるビットインターリーバ１３０６で使用されたインターリービングパターンに対応するデインターリービングパターンに従ってデインターリービングすることにより、デインターリービングされた値を生成し、デインターリービングされた値をレートデマッチングユニット１４２０に出力する。レートデマッチングユニット１４２０は、信号送信装置に含まれるレートマッチングユニット１３０４で実行されたレートマッチング動作の逆動作に対応してビット単位でデインターリービングされた値を結合することによりレートデマッチング値を生成し、レートデマッチング値を外部復号化器１４２２に出力する。ビットデインターリーバ１４１８は、信号送信装置で使用される符号化率、反復回数の中の少なくとも１つを考慮して動作できるように構成される。レートデマッチングユニット１４２０は、信号送信装置で使用された反復回数及び符号化率に従って動作する。
【０２２５】
外部復号化器１４２２は、信号送信装置に含まれる外部符号化器１３０２で使用された符号化率に従ってレートデマッチング値のチャネル復号化を実行することにより情報ビットを復旧する。
【０２２６】
また、本発明の一実施形態によるＦＱＡＭ方式を使用して信号を送受信する方法及び装置は、ハードウェア、ソフトウェア、又はハードウェア及びソフトウェアの組み合せの形態で実現することができる。このような任意のソフトウェアは、例えば、削除又は再記録が可能な読み出し専用メモリ（ＲＯＭ）のような揮発性又は非揮発性記憶装置、又は、例えば、ランダムアクセスメモリ（ＲＡＭ）、メモリチップ、メモリ装置、又はメモリ集積回路（ＩＣ）、又は、例えば、コンパクトディスク（ＣＤ）、ディジタル多用途ディスク（ＤＶＤ）、磁気ディスク、又は磁気テープなどの光学的又は磁気的に読み取り可能な非一時的な機械可読（例えば、コンピュータ可読）記憶媒体に記憶することができる。本発明の一実施形態によるＦＱＡＭ方式を使用して信号を送受信する方法及び装置は、制御器及びメモリを含むコンピュータ又は携帯端末により具現されることができ、このメモリは、本発明の様々な実施形態を具現する指示を含むプログラム又はプログラムを格納するのに適合した機械可読（例えば、コンピュータ可読）記憶装置の一例である。
【０２２７】
したがって、本発明は、本願明細書の任意の請求項に記載された装置又は方法を実現するためのコードを含むプログラム及びこのようなプログラムを格納する機械可読（例えば、コンピュータ可読）記憶装置を含む。また、このようなプログラムは、有線又は無線接続を通じて送信される通信信号のような任意の媒体を通じて電子的に移送され、本発明は、これと均等なことを適切に含む。
【０２２８】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきものである。
【符号の説明】
【０２２９】
１０２  ２進符号化器
１０４  レートマッチングユニット
１０６  リピータ
１０８  選択器
１１０  第１のビットインターリーバ
１１２  第Ｎのビットインターリーバ
１１４  Ｍ進ＱＡＭシンボルマッパ
１１６  論理リソースマッパ
１１８  物理リソースマッパ
１２０  ＩＦＦＴユニット
【図１】
0006424168.tif 000025
【図２】
0006424168.tif 000026
【図３】
0006424168.tif 000027
【図４】
0006424168.tif 000028
【図５】
0006424168.tif 000029
【図６】
0006424168.tif 000030
【図７】
0006424168.tif 000031
【図８】
0006424168.tif 000032
【図９】
0006424168.tif 000033
【図１０】
0006424168.tif 000034
【図１１】
0006424168.tif 000035
【図１２】
0006424168.tif 000036
【図１３】
0006424168.tif 000037
【図１４】
0006424168.tif 000038
【図１５】
0006424168.tif 000039
【図１６ａ】
0006424168.tif 000040
【図１６ｂ】
0006424168.tif 000041